(57)【特許請求の範囲】
【請求項１】
疾病情報を取得し、前記疾病情報に基づいて制御信号を生成する制御装置（２１，１２１，４２１）と、
前記制御信号に基づいて、複数の人が集まる空間に対して環境を提供する環境提供装置（１１，１１ａ，１１１，２４０，３４０，４４０）と、
を備え、
前記制御装置（２１，１２１，４２１）は、
前記制御信号に関する情報である制御情報と前記疾病の罹患率に関する情報である罹患率情報との相関関係についての情報である相関情報に基づいて、
前記疾病が流行したときの前記疾病の前記罹患率が、前記疾病の前記罹患率に関する所定の目標値である罹患目標値付近の値になるように前記制御信号を生成する、
環境提供システム（１ａ，２００，３００，４００）。
【請求項２】
前記疾病は、空気感染する疾病である、
請求項１に記載の環境提供システム（１，１ａ，１００，２００，３００，４００）。
【請求項３】
前記疾病情報は、前記疾病の患者数（３１５）を含む、
請求項１に記載の環境提供システム（１，１ａ，１００，２００，３００，４００）。
【請求項４】
前記疾病情報は、前記疾病の危険度（３１２）を含む、
請求項１に記載の環境提供システム（１，１ａ，１００，２００，３００，４００）。
【請求項５】
前記疾病情報は、前記空間の近くにおける疾病の情報を含む、
請求項１に記載の環境提供システム（１，１ａ，１００，２００，３００，４００）。
【請求項６】
前記環境提供装置（１１，１１ａ，１１１）は、前記空間に対して換気する能力を有しており、
前記制御装置（２１，１２１）は、前記空間に対する換気量の制御信号を生成する、
請求項１から５のいずれか１項に記載の環境提供システム（１，１ａ，１００）。
【請求項７】
前記環境提供装置（１１，１１ａ，１１１，２４０，３４０，４４０）は、前記空間に対して空気清浄する能力を有しており、
前記制御装置（２１，１２１，４２１）は、前記空間に対する空気清浄能力の制御信号を生成する、
請求項１から５のいずれか１項に記載の環境提供システム（１，１ａ，１００，２００，３００，４００）。
【請求項８】
前記環境提供装置（１１，１１ａ，１１１）は、前記空間に対して加湿する能力を有しており、
前記制御装置（２１，１２１）は、前記空間に対する加湿量の制御信号を生成する、
請求項１から５のいずれか１項に記載の環境提供システム（１，１ａ，１００）。
【請求項９】
前記環境提供装置（１１，１１ａ，１１１）は、前記空間に対して除湿する能力を有しており、
前記制御装置（２１，１２１，４２１）は、前記空間に対する除湿量の制御信号を生成する、
請求項１から５のいずれか１項に記載の環境提供システム（１，１ａ，１００）。
【請求項１０】
前記環境提供装置（２４０，３４０，４４０）は、前記空間に対する空気清浄能力の前記制御信号に基づいて、前記空間に対して、複数のフィルタ（２４７，２４８，２４７ａ，・・・）を用いて空気清浄を行う、
請求項７に記載の環境提供システム（２００，３００，４００）。
【請求項１１】
前記複数のフィルタ（２４７，２４８，２４７ａ，・・・）は、第１フィルタ（２４７，２４７ａ，・・・）と第２フィルタ（２４８，２４７ｂ，・・・）とを含み、
前記第１フィルタ（２４７，２４７ａ，・・・）の空気清浄能力は、前記第２フィルタ（２４８，２４７ｂ，・・・）の空気清浄能力よりも強い、
請求項１０に記載の環境提供システム（２００，３００，４００）。
【請求項１２】
前記環境提供装置（２４０，４４０）は、
吸入された空気が送り込まれる吸入路（２４４）と、
前記空気を前記第１フィルタ（２４７）へ導く第１通風路（２４５）と、
前記空気を前記第２フィルタ（２４８）へ導く第２通風路（２４６）と、
前記空気を前記吸入路（２４４）から前記第１通風路（２４５）へ導く状態である第１状態と前記空気を前記吸入路（２４４）から前記第２通風路（２４６）へ導く状態である第２状態とを切り換える風路切換部（２４９，２４９ａ）と、
を有し、
前記風路切換部（２４９，２４９ａ）は、前記空間に対する空気清浄能力の前記制御信号に基づいて、前記第１状態と前記第２状態とを切り換える、
請求項１１に記載の環境提供システム（２００，３００，４００）。
【請求項１３】
前記環境提供装置（２４０，３４０，４４０）は、
前記第１フィルタ（２４７，２４７ａ，・・・）を含む第１空気清浄部（２５５，３４０ａ，・・・）と、
前記第２フィルタ（２４８，２４７ｂ，・・・）を含む第２空気清浄部（２５６，３４０ｂ，・・・）と、
を有し、
前記第１空気清浄部（２５５，３４０ａ，・・・）と前記第２空気清浄部（２５６，３４０ｂ，・・・）とは、前記空間に対する空気清浄能力の前記制御信号に基づいて、前記空間に対して空気清浄を行う、
請求項１１に記載の環境提供システム（２００，３００，４００）。
【請求項１４】
前記環境提供装置（２４０，３４０，４４０）は、複数の空気清浄部（２５５，２５６，３４０ａ，３４０ｂ，・・・）を有し、
前記制御装置（２１，４２１）は、前記疾病情報に基づいて、稼働する前記空気清浄部（２５５，２５６，３４０ａ，３４０ｂ，・・・）の数量を制御する制御信号を生成する、
請求項１０から１３のいずれか１項に記載の環境提供システム（２００，３００，４００）。
【請求項１５】
前記環境提供装置（２４０，３４０，４４０）の稼働スケジュール（２６ａ，２２６）を記憶する記憶装置（２５ａ，２２５）をさらに備え、
前記制御装置（２１，４２１）は、前記疾病情報と前記稼働スケジュール（２６ａ，２２６）とに基づいて、前記制御信号を生成する、
請求項１から１４のいずれか１項に記載の環境提供システム（２００，３００，４００）。
【請求項１６】
前記人の存在を検知する存在検知装置（１５ａ，２１５）をさらに備え、
前記制御装置（２１，４２１）は、前記疾病情報と前記人の存在の情報とに基づいて、前記制御信号を生成する、
請求項１から１５のいずれか１項に記載の環境提供システム（２００，３００，４００）。
【請求項１７】
前記空間に存在する前記複数の前記人の情報が入力される入力装置（１６ａ，２１６）をさらに備え、
前記制御装置（２１，４２１）は、前記空間に存在する前記複数の前記人の情報に基づいて、前記疾病情報を推定する、
請求項５から１６のいずれか１項に記載の環境提供システム（２００，３００，４００）。
【請求項１８】
前記空間に存在する前記複数の前記人の症状を検知する症状検知装置（１７ａ，２１７）をさらに備え、
前記制御装置（２１，４２１）は、前記空間に存在する前記複数の前記人の症状に基づいて、前記疾病情報を推定する、
請求項５から１７のいずれか１項に記載の環境提供システム（２００，３００，４００）。
【請求項１９】
前記疾病情報は、前記疾病の流行の度合いを示す情報である流行度情報を含み、
前記制御装置（２１，１２１，４２１）は、前記疾病が流行したときの前記疾病の前記罹患率が、前記疾病の前記罹患率に関する所定の目標値である罹患目標値付近の値になるように、前記流行度情報と前記相関情報とに基づいて前記制御信号を生成する、
請求項１に記載の環境提供システム（１ａ，２００，３００，４００）。
【請求項２０】
前記罹患率情報は、前記疾病の前記罹患率、前記疾病の罹患による生産性の低下率、前記疾病の罹患により発生する損害額、前記疾病の罹患により発生する医療費の増加率及び前記疾病の罹患により発生する医療費の増加額の少なくとも１つに関する情報を含む、
請求項１から１９のいずれか１項に記載の環境提供システム（１ａ，２００，３００，４００）。
【請求項２１】
前記環境提供装置（１１，１１ａ，１１１）は、前記空間に対して換気する能力を有しており、
前記制御装置（２１，１２１）は、前記疾病が流行したときの前記疾病の前記罹患率が、前記疾病の前記罹患率に関する所定の目標値である罹患目標値付近の値になるように、前記相関情報に基づいて、前記空間に対する換気量の制御信号を生成する、
請求項１から２０のいずれか１項に記載の環境提供システム（１，１ａ，１００）。
【請求項２２】
前記環境提供装置（１１，１１ａ，１１１，２４０，３４０，４４０）は、前記空間に対して空気清浄する能力を有しており、
前記制御装置（２１，１２１，４２１）は、前記疾病が流行したときの前記疾病の前記罹患率が、前記疾病の前記罹患率に関する所定の目標値である罹患目標値付近の値になるように、前記相関情報に基づいて、前記空間に対する空気清浄能力の制御信号を生成する、
請求項１から２０のいずれか１項に記載の環境提供システム（１ａ，２００，３００，４００）。
【請求項２３】
前記環境提供装置（２４０，３４０，４４０）は、前記空間に対する空気清浄能力の前記制御信号に基づいて、前記空間に対して、複数のフィルタ（２４７，２４８，２４７ａ，・・・）を用いて空気清浄を行う、
請求項２２に記載の環境提供システム（２００，３００，４００）。
【請求項２４】
前記環境提供装置（１１，１１ａ，１１１）は、前記空間に対して加湿する能力を有しており、
前記制御装置（２１，１２１）は、前記疾病が流行したときの前記疾病の前記罹患率が、前記疾病の前記罹患率に関する所定の目標値である罹患目標値付近の値になるように、前記相関情報に基づいて、前記空間に対する加湿量の制御信号を生成する、
請求項１から２０のいずれか１項に記載の環境提供システム（１，１ａ，１００）。
【請求項２５】
前記環境提供装置（１１，１１ａ，１１１）は、前記空間に対して除湿する能力を有しており、
前記制御装置（２１，１２１，４２１）は、前記疾病が流行したときの前記疾病の前記罹患率が、前記疾病の前記罹患率に関する所定の目標値である罹患目標値付近の値になるように、前記相関情報に基づいて、前記空間に対する除湿量の制御信号を生成する、
請求項１から２０のいずれか１項に記載の環境提供システム（１，１ａ，１００）。
【請求項２６】
疾病情報を取得して前記疾病情報に基づいて制御信号を生成する制御装置（２１，１２１，４２１）から、制御信号を受け取る受取部（１２，１１２，２４１，２４１ａ，２４１ｂ，・・・，４４１）と、
前記制御信号に基づいて、複数の人が集まる空間に対して環境を提供する環境提供部（１３，２５４，３５４ａ，３５４ｂ，・・・）と、
を備え、
前記制御装置（２１，１２１，４２１）は、
前記制御信号に関する情報である制御情報と前記疾病の罹患率に関する情報である罹患率情報との相関関係についての情報である相関情報に基づいて、
前記疾病が流行したときの前記疾病の前記罹患率が、前記疾病の前記罹患率に関する所定の目標値である罹患目標値付近の値になるように前記制御信号を生成する、
環境提供装置（１１，１１ａ，１１１，２４０，３４０，４４０）。
【請求項２７】
疾病情報を取得して、前記疾病情報に基づいて、複数の人が集まる空間に対する空気清浄能力の制御信号を生成する制御装置（２１，４２１）から、前記空間に対する空気清浄能力の前記制御信号を受け取る受取部（２４１，２４１ａ，２４１ｂ，・・・，４４１）と、
前記空間に対する空気清浄能力の前記制御信号に基づいて、前記空間に対して、フィルタ（２４７，２４８，２４７ａ，・・・）を用いて空気清浄を行う複数の空気清浄部（２５５，２５６，３４０ａ，３４０ｂ，・・・）と、
を備え、
前記制御装置（２１，４２１）は、前記制御信号に関する情報である制御情報と前記疾病の罹患率に関する情報である罹患率情報との相関関係についての情報である相関情報に基づいて、前記空間に対する空気清浄能力の前記制御信号を生成する、
前記疾病が流行したときの前記疾病の前記罹患率が、前記疾病の前記罹患率に関する所定の目標値である罹患目標値付近の値になるように、前記空間に対する空気清浄能力の前記制御信号を生成する、
環境提供装置（２４０，３４０，４４０）。
【請求項２８】
疾病情報を取得する取得部（２２）と、
前記疾病情報に基づいて制御信号を生成する演算部（２３）と、
前記制御信号に基づいて複数の人が集まる空間に対して環境を提供する環境提供装置（１１，１１ａ，１１１，２４０，３４０，４４０）に、前記制御信号を受け渡す受渡部（２４，１２４，４２４）と、
を備え、
前記演算部（２３）は、
前記制御信号に関する情報である制御情報と前記疾病の罹患率に関する情報である罹患率情報との相関関係についての情報である相関情報に基づいて、
前記疾病が流行したときの前記疾病の前記罹患率が、前記疾病の前記罹患率に関する所定の目標値である罹患目標値付近の値になるように前記制御信号を生成する、
制御装置（２１，１２１，４２１）。
【請求項２９】
疾病情報を取得する取得部（２２）と、
前記疾病情報に基づいて、複数の人が集まる空間に対する空気清浄能力の制御信号を生成する演算部（２３）と、
前記空間に対する空気清浄能力の前記制御信号に基づいて前記空間に対して複数のフィルタ（２４７，２４８，２４７ａ，・・・）を用いて空気清浄を行う環境提供装置（２４０，３４０，４４０）に、前記空間に対する空気清浄能力の前記制御信号を受け渡す受渡部（２４，４２４）と、
を備え、
前記演算部（２３）は、
前記制御信号に関する情報である制御情報と前記疾病の罹患率に関する情報である罹患率情報との相関関係についての情報である相関情報に基づいて、
前記疾病が流行したときの前記疾病の前記罹患率が、前記疾病の前記罹患率に関する所定の目標値である罹患目標値付近の値になるように、前記空間に対する空気清浄能力の前記制御信号を生成する、
制御装置（２１，４２１）。
【請求項３０】
疾病情報が取得され、前記疾病情報に基づいて制御信号が生成される制御ステップと、
前記制御信号に基づいて、複数の人が集まる空間に対して環境が提供される環境提供ステップと、
を備え、
前記制御ステップでは、
前記制御信号に関する情報である制御情報と前記疾病の罹患率に関する情報である罹患率情報との相関関係についての情報である相関情報に基づいて、
前記疾病が流行したときの前記疾病の前記罹患率が、前記疾病の前記罹患率に関する所定の目標値である罹患目標値付近の値になるように前記制御信号が生成される、
環境提供方法。
【請求項３１】
疾病情報が取得され、前記疾病情報に基づいて、複数の人が集まる空間に対する空気清浄能力の制御信号が生成される制御ステップと、
前記空間に対する空気清浄能力の前記制御信号に基づいて、前記空間に対して、複数のフィルタ（２４７，２４８，２４７ａ，・・・）を用いて空気清浄が行われる空気清浄ステップと、
を備え、
前記制御ステップでは、前記制御信号に関する情報である制御情報と前記疾病の罹患率に関する情報である罹患率情報との相関関係についての情報である相関情報に基づいて、
前記疾病が流行したときの前記疾病の前記罹患率が、前記疾病の前記罹患率に関する所定の目標値である罹患目標値付近の値になるように、前記空間に対する空気清浄能力の前記制御信号が生成される、
環境提供方法。
【発明の詳細な説明】
【技術分野】
【０００１】
本発明は、環境提供システム、環境提供装置、制御装置及び環境提供方法に関する。
【背景技術】
【０００２】
従来から、気密性の高いビルや乗り物や住宅などにおいて、複数の人が集まる場合がある。複数の人が集まる空間に対する環境の提供は、疾病の流行とは無関係に行われている（例えば、特許文献１参照。）。
【特許文献１】特開２００２−９８３５４
【発明の開示】
【発明が解決しようとする課題】
【０００３】
しかし、疾病の流行したときに、複数の人が集まる空間に対して、疾病の流行していないときと同じように環境の提供を行っていたのでは、その空間において疾病の感染が進行するおそれがある。一方、疾病の流行していないときに、複数の人が集まる空間に対して、疾病の流行したときと同じように環境の提供を行っていたのでは、省エネルギー化を達成するのが困難になるおそれがある。また、疾病の流行していないときに、複数の人が集まる空間に対して、疾病の流行したときと同じように環境の提供を行っていたのでは、環境を提供するための装置の運用コストが増加するおそれがある。
【０００４】
そこで、本発明の課題は、省エネルギー化を図りながら疾病の感染を低減することができる環境提供システム、環境提供装置、制御装置及び環境提供方法を提供することにある。また、本発明の別の課題は、運用コストの低減化を図りながら疾病の感染を低減することができる環境提供システム、環境提供装置、制御装置及び環境提供方法を提供することにある。
【課題を解決するための手段】
【０００５】
第１発明に係る環境提供システムは、制御装置と、環境提供装置とを備える。制御装置は、疾病情報を取得し、疾病情報に基づいて制御信号を生成する。環境提供装置は、制御信号に基づいて、複数の人が集まる空間に対して環境を提供する。
【０００６】
この環境提供システムでは、制御装置が、疾病情報を取得し、疾病情報に基づいて制御信号を生成する。環境提供装置が、制御装置から制御信号を受け取ることができる。環境提供装置が、制御信号に基づいて、複数の人が集まる空間に対して環境を提供する。
【０００７】
したがって、疾病情報に基づいて環境提供装置を制御することができるので、疾病の流行が発生したときに疾病の感染が進行しないように、複数の人が集まる空間に対して環境を提供することができる。また、疾病の流行が発生していないときに省エネルギー化を達成できるように、複数の人が集まる空間に対して環境を提供することができる。このため、省エネルギー化を図りながら疾病の感染を低減することができる。
【０００８】
なお、制御装置と環境提供装置とは、有線回線により接続されていてもよく、無線回線により接続されていてもよく、内部配線により接続されていてもよい。制御装置が疾病情報を取得する方法は、ネットワーク経由で情報を取得する方法でもよいし、直接的に情報が入力される方法でもよい。疾病情報は、疾病そのものの情報であり、例えば、花粉情報や気象情報のように疾病に間接的に関連した情報は含まない。
【０００９】
また、制御装置は、相関情報に基づいて制御信号を生成する。相関情報は、制御情報と罹患率情報との相関関係についての情報である。制御情報は、制御信号に関する情報である。罹患率情報は、疾病の罹患率に関する情報である。
【００１０】
この環境提供システムでは、制御装置が、疾病情報を取得し、相関情報に基づいて制御信号を生成する。環境提供装置が、制御装置から制御信号を受け取ることができる。環境提供装置が、制御信号に基づいて、複数の人が集まる空間に対して環境を提供する。
【００１１】
したがって、疾病が流行したときの疾病の罹患率が所定の目標値付近の値になるように、相関情報に基づいて環境提供装置を制御すれば、疾病の流行が発生したときに疾病の感染が進行しないようにしながら無駄な消費エネルギーの増加を抑えるように、複数の人が集まる空間に対して環境を提供することができる。また、疾病の流行が発生していないときに省エネルギー化を達成できるように、複数の人が集まる空間に対して環境を提供することができる。このため、省エネルギー化を図りながら疾病の感染を低減することができる。
【００１２】
さらに、制御装置は、疾病が流行したときの疾病の罹患率が罹患目標値付近の値になるように、相関情報に基づいて制御信号を生成する。罹患目標値は、疾病の罹患率に関する所定の目標値である。
【００１３】
この環境提供システムでは、制御装置が、疾病情報を取得し、相関情報に基づいて制御信号を生成する。制御装置が、疾病が流行したときの疾病の罹患率が罹患目標値付近の値になるように、相関情報に基づいて制御信号を生成する。環境提供装置が、制御装置から制御信号を受け取ることができる。環境提供装置が、制御信号に基づいて、複数の人が集まる空間に対して環境を提供する。
【００１４】
したがって、疾病が流行したときの疾病の罹患率が罹患目標値付近の値になるように制御信号を生成するので、疾病の流行が発生したときに疾病の感染が進行しないようにしながら無駄な消費エネルギーの増加を抑えるように、複数の人が集まる空間に対して環境を提供することができる。
【００１５】
第２発明に係る環境提供システムは、第１発明の環境提供システムであって、疾病は、空気感染する疾病である。
【００１６】
この環境提供システムでは、疾病が、空気感染する疾病である。そのため、複数の人が集まる空間において、疾病が感染するおそれがある。制御装置が、疾病情報を取得し、疾病情報に基づいて制御信号を生成する。環境提供装置が、制御装置から制御信号を受け取ることができる。環境提供装置が、制御信号に基づいて、複数の人が集まる空間に対して環境を提供する。
【００１７】
したがって、複数の人が集まる空間に対して、疾病情報に基づいて制御された環境を提供することができる。このため、疾病の流行が発生したときに疾病の感染を低減することができる。
【００１８】
第３発明に係る環境提供システムは、第１発明の環境提供システムであって、疾病情報は、疾病の患者数を含む。
【００１９】
この環境提供システムでは、疾病情報が、疾病の患者数を含む。制御装置が、疾病情報を取得し、疾病情報に基づいて制御信号を生成する。環境提供装置が、制御装置から制御信号を受け取ることができる。環境提供装置が、制御信号に基づいて、複数の人が集まる空間に対して環境を提供する。
【００２０】
したがって、疾病の患者数が一定数以上である場合に、制御装置が、疾病の流行が発生したと判断することができる。このため、疾病の流行の発生を容易に決めることができる。
【００２１】
なお、疾病の患者数は、いわゆる疾病の患者数だけでなく、例えば、疾病の死亡者数などを含む。
【００２２】
第４発明に係る環境提供システムは、第１発明の環境提供システムであって、疾病情報は、疾病の危険度を含む。
【００２３】
この環境提供システムでは、疾病情報が、疾病の危険度を含む。制御装置が、疾病情報を取得し、疾病情報に基づいて制御信号を生成する。環境提供装置が、制御装置から制御信号を受け取ることができる。環境提供装置が、制御信号に基づいて、複数の人が集まる空間に対して環境を提供する。
【００２４】
したがって、疾病の危険度が一定の値以上である場合に、制御装置が、対応すべき疾病であると判断することができる。このため、危険度又は死亡率の高い疾病にのみ対応することができるので、省エネルギー化を図ることができる。
【００２５】
なお、疾病の危険度は、いわゆる疾病の危険度だけでなく、例えば、疾病の死亡率などを含む。
【００２６】
第５発明に係る環境提供システムは、第１発明の環境提供システムであって、疾病情報は、空間の近くにおける疾病の情報を含む。
【００２７】
この環境提供システムでは、疾病情報が、空間の近くにおける疾病の情報を含む。制御装置が、疾病情報を取得し、疾病情報に基づいて制御信号を生成する。環境提供装置が、制御装置から制御信号を受け取ることができる。環境提供装置が、制御信号に基づいて、複数の人が集まる空間に対して環境を提供する。
【００２８】
したがって、空間の近くで局所的に発生している疾病の情報であっても、制御装置が、疾病の流行が発生したと判断することができる。このため、空間の近くで局所的に発生している疾病の流行へ迅速に対応することができる。
【００２９】
第６発明に係る環境提供システムは、第１発明から第５発明のいずれかの環境提供システムであって、環境提供装置は、空間に対して換気する能力を有している。制御装置は、空間に対する換気量の制御信号を生成する。
【００３０】
この環境提供システムでは、環境提供装置が、空間に対して換気する能力を有している。制御装置が、疾病情報を取得し、疾病情報に基づいて空間に対する換気量の制御信号を生成する。環境提供装置が、制御装置から空間に対する換気量の制御信号を受け取ることができる。環境提供装置が、空間に対する換気量の制御信号に基づいて、複数の人が集まる空間に対して換気を行う。
【００３１】
したがって、疾病の流行が発生したときに、環境提供装置が、空間に対する換気量を増やして換気することができる。このため、空間における疾病の病原菌の濃度を低減することができるので、疾病が流行したときに疾病の感染を低減することができる。
【００３２】
第７発明に係る環境提供システムは、第１発明から第５発明のいずれかの環境提供システムであって、環境提供装置は、空間に対して空気清浄する能力を有している。制御装置は、空間に対する空気清浄能力の制御信号を生成する。
【００３３】
この環境提供システムでは、環境提供装置が、空間に対して空気清浄する能力を有している。制御装置が、疾病情報を取得し、疾病情報に基づいて空間に対する空気清浄能力の制御信号を生成する。環境提供装置が、制御装置から空間に対する空気清浄能力の制御信号を受け取ることができる。環境提供装置が、空間に対する空気清浄能力の制御信号に基づいて、複数の人が集まる空間に対して空気清浄を行う。
【００３４】
したがって、疾病の流行が発生したときに、環境提供装置が、空間に対する空気清浄能力を強化して空気清浄することができる。このため、空間における疾病の病原菌の濃度を低減することができるので、疾病が流行したときに疾病の感染を低減することができる。
【００３５】
第８発明に係る環境提供システムは、第１発明から第５発明のいずれかの環境提供システムであって、環境提供装置は、空間に対して加湿する能力を有している。制御装置は、空間に対する加湿量の制御信号を生成する。
【００３６】
この環境提供システムでは、環境提供装置が、空間に対して加湿する能力を有している。制御装置が、疾病情報を取得し、疾病情報に基づいて空間に対する加湿量の制御信号を生成する。環境提供装置が、制御装置から空間に対する加湿量の制御信号を受け取ることができる。環境提供装置が、空間に対する加湿量の制御信号に基づいて、複数の人が集まる空間に対して加湿を行う。
【００３７】
したがって、湿度に弱い病原菌による疾病の流行が発生したときに、環境提供装置が、空間に対する加湿量を増やして加湿することができる。このため、空間における疾病の病原菌の濃度を低減することができるので、疾病が流行したときに疾病の感染を低減することができる。
【００３８】
第９発明に係る環境提供システムは、第１発明から第５発明のいずれかの環境提供システムであって、環境提供装置は、空間に対して除湿する能力を有している。制御装置は、空間に対する除湿量の制御信号を生成する。
【００３９】
この環境提供システムでは、環境提供装置が、空間に対して除湿する能力を有している。制御装置が、疾病情報を取得し、疾病情報に基づいて空間に対する除湿量の制御信号を生成する。環境提供装置が、制御装置から空間に対する除湿量の制御信号を受け取ることができる。環境提供装置が、空間に対する除湿量の制御信号に基づいて、複数の人が集まる空間に対して除湿を行う。
【００４０】
したがって、乾燥に弱い病原菌による疾病の流行が発生したときに、環境提供装置が、空間に対する除湿量を増やして除湿することができる。このため、空間における疾病の病原菌の濃度を低減することができるので、疾病が流行したときに疾病の感染を低減することができる。
【００４１】
第１０発明に係る環境提供システムは、第７発明の環境提供システムであって、環境提供装置は、空間に対する空気清浄能力の制御信号に基づいて、複数の人が集まる空間に対して、複数のフィルタを用いて空気清浄を行う。
【００４２】
この環境提供システムでは、環境提供装置が、空間に対して空気清浄する能力を有している。制御装置が、疾病情報を取得し、疾病情報に基づいて空間に対する空気清浄能力の制御信号を生成する。環境提供装置が、制御装置から空間に対する空気清浄能力の制御信号を受け取ることができる。環境提供装置が、空間に対する空気清浄能力の制御信号に基づいて、複数の人が集まる空間に対して、複数のフィルタを用いて空気清浄を行う。
【００４３】
したがって、疾病情報に基づいて環境提供装置を制御することができるので、疾病の流行が発生したときに疾病の感染が進行しないように、空気清浄能力の強いフィルタを用いて空気清浄を行うことができる。あるいは、空気清浄に用いるフィルタの数を増加させることができる。また、疾病の流行が発生していないときに運用コストを低減できるように、空気清浄能力の弱いフィルタを用いて空気清浄を行うことができる。あるいは、空気清浄に用いるフィルタの数を低減させることができる。このため、運用コストの低減化を図りながら疾病の感染を低減することができる。
【００４４】
第１１発明に係る環境提供システムは、第１０発明の環境提供システムであって、複数のフィルタは、第１フィルタと第２フィルタとを含む。第１フィルタの空気清浄能力は、第２フィルタの空気清浄能力よりも強い。
【００４５】
この環境提供システムでは、環境提供装置が、空間に対して空気清浄する能力を有している。制御装置が、疾病情報を取得し、疾病情報に基づいて空間に対する空気清浄能力の制御信号を生成する。環境提供装置が、制御装置から空間に対する空気清浄能力の制御信号を受け取ることができる。環境提供装置が、空間に対する空気清浄能力の制御信号に基づいて、複数の人が集まる空間に対して、複数のフィルタを用いて空気清浄を行う。複数のフィルタが、第１フィルタと第２フィルタとを含む。第１フィルタの空気清浄能力が、第２フィルタの空気清浄能力よりも強い。
【００４６】
したがって、第１フィルタの空気清浄能力が第２フィルタの空気清浄能力よりも強いので、第２フィルタの運用コストが第１フィルタの運用コストよりも低いことが多くなる。このため、疾病の流行が発生していないときに運用コストを低減できるように、第２フィルタを用いて空気清浄を行うことができる。また、疾病の流行が発生したときに疾病の感染が進行しないように、第１フィルタを用いて空気清浄を行うことができる。この結果、運用コストの低減化を図りながら疾病の感染を低減することができる。
【００４７】
第１２発明に係る環境提供システムは、第１１発明の環境提供システムであって、環境提供装置は、吸入路と第１通風路と第２通風路と風路切換部とを有する。吸入路には、吸入された空気が送り込まれる。第１通風路は、空気を第１フィルタへ導く。第２通風路は、空気を第２フィルタへ導く。風路切換部は、第１状態と第２状態とを切り換える。第１状態は、空気を吸入路から第１通風路へ導く状態である。第２状態は、空気を吸入路から第２通風路へ導く状態である。風路切換部は、空間に対する空気清浄能力の制御信号に基づいて、第１状態と第２状態とを切り換える。
【００４８】
この環境提供システムでは、環境提供装置が、空間に対して空気清浄する能力を有している。制御装置が、疾病情報を取得し、疾病情報に基づいて空間に対する空気清浄能力の制御信号を生成する。環境提供装置の風路切換部が、制御装置から空間に対する空気清浄能力の制御信号を受け取ることができる。環境提供装置の吸入路に、吸入された空気が送り込まれる。環境提供装置の風路切換部が、空間に対する空気清浄能力の制御信号に基づいて、第１状態と第２状態とを切り換える。第１通風路が、空気を第１フィルタへ導く。これにより、第１状態において、空気を吸入路から第１通風路を介して第１フィルタへ導くことができる。第２通風路が、空気を第２フィルタへ導く。これにより、第２状態において、空気を吸入路から第２通風路を介して第２フィルタへ導くことができる。第１フィルタの空気清浄能力が、第２フィルタの空気清浄能力よりも強い。
【００４９】
したがって、疾病情報に基づいて第１状態と第２状態とを切り換えることができるので、疾病の流行が発生したときに疾病の感染が進行しないように、第１フィルタを用いて空気清浄を行うことができる。また、疾病の流行が発生していないときに運用コストを低減できるように、第２フィルタを用いて空気清浄を行うことができる。
【００５０】
第１３発明に係る環境提供システムは、第１１発明の環境提供システムであって、環境提供装置は、第１空気清浄部と第２空気清浄部とを有する。第１空気清浄部は、第１フィルタを含む。第２空気清浄部は、第２フィルタを含む。第１空気清浄部と第２空気清浄部とは、空間に対する空気清浄能力の制御信号に基づいて、空間に対して空気清浄を行う。
【００５１】
この環境提供システムでは、環境提供装置が、空間に対して空気清浄する能力を有している。制御装置が、疾病情報を取得し、疾病情報に基づいて空間に対する空気清浄能力の制御信号を生成する。環境提供装置の第１空気清浄部が、制御装置から空間に対する空気清浄能力の制御信号を受け取ることができる。環境提供装置の第２空気清浄部が、制御装置から空間に対する空気清浄能力の制御信号を受け取ることができる。環境提供装置の第１空気清浄部が、空間に対する空気清浄能力の制御信号に基づいて、複数の人が集まる空間に対して、複数のフィルタを用いて空気清浄を行う。環境提供装置の第２空気清浄部が、空間に対する空気清浄能力の制御信号に基づいて、複数の人が集まる空間に対して、複数のフィルタを用いて空気清浄を行う。複数のフィルタが、第１フィルタと第２フィルタとを含む。第１フィルタの空気清浄能力が、第２フィルタの空気清浄能力よりも強い。
【００５２】
したがって、疾病情報に基づいて第１空気清浄部と第２空気清浄部とを切り換えることができるので、疾病の流行が発生したときに疾病の感染が進行しないように、第１フィルタを用いて空気清浄を行うことができる。また、疾病の流行が発生していないときに運用コストを低減できるように、第２フィルタを用いて空気清浄を行うことができる。
【００５３】
第１４発明に係る環境提供システムは、第１０発明から第１３発明のいずれかの環境提供システムであって、環境提供装置は、複数の空気清浄部を有する。制御装置は、疾病情報に基づいて、稼働する空気清浄部の数量を制御する制御信号を生成する。
【００５４】
この環境提供システムでは、環境提供装置が、空間に対して空気清浄する能力を有している。制御装置が、疾病情報を取得し、疾病情報に基づいて空間に対する空気清浄能力の制御信号を生成する。環境提供装置が、制御装置から空間に対する空気清浄能力の制御信号を受け取ることができる。環境提供装置が、空間に対する空気清浄能力の制御信号に基づいて、複数の人が集まる空間に対して、複数のフィルタを用いて空気清浄を行う。
【００５５】
したがって、疾病情報に基づいて稼働する空気清浄部の数量を制御することができるので、疾病の流行が発生したときに疾病の感染が進行しないように、空気清浄に用いるフィルタの数を増加させることができる。また、疾病の流行が発生していないときに運用コストを低減できるように、空気清浄に用いるフィルタの数を低減させることができる。
【００５６】
なお、それぞれの空気清浄部は、例えば、１つのフィルタを有していてもよいし、複数のフィルタを有していてもよい。
【００５７】
第１５発明に係る環境提供システムは、第１発明から第１４発明のいずれかの環境提供システムであって、記憶装置をさらに備える。記憶装置は、環境提供装置の稼働スケジュールを記憶する。制御装置は、疾病情報と稼働スケジュールとに基づいて、制御信号を生成する。
【００５８】
この環境提供システムでは、記憶装置が、環境提供装置の稼働スケジュールを記憶する。制御装置が、稼働スケジュールの情報を受け取ることができる。制御装置が、疾病情報を取得する。制御装置が、疾病情報と稼働スケジュールとに基づいて制御信号を生成する。環境提供装置が、制御装置から制御信号を受け取ることができる。環境提供装置が、制御信号に基づいて、複数の人が集まる空間に対して環境を提供する。
【００５９】
したがって、環境提供装置の稼働スケジュールを記憶するので、疾病の流行が発生したときに疾病の感染が進行しないように環境を提供することを制限する時間帯を設定することができる。このため、疾病の感染が進行しないように環境を提供した際に発生する弊害を低減することができる。
【００６０】
なお、疾病の感染が進行しないように環境を提供した際に発生する弊害は、例えば、換気量を増やした場合の空間の温度の変化、空気清浄する能力を強くした際に発生する騒音、加湿する能力を強くした際に発生する不快指数の上昇、除湿する能力を強くした際に発生する騒音などである。
【００６１】
第１６発明に係る環境提供システムは、第１発明から第１５発明のいずれかの環境提供システムであって、存在検知装置をさらに備える。存在検知装置は、人の存在を検知する。制御装置は、疾病情報と人の存在の情報とに基づいて、制御信号を生成する。
【００６２】
この環境提供システムでは、存在検知装置が、人の存在を検知する。制御装置が、人の存在の情報を受け取ることができる。制御装置が、疾病情報を取得する。制御装置が、疾病情報と人の存在の情報とに基づいて、制御信号を生成する。環境提供装置が、制御装置から制御信号を受け取ることができる。環境提供装置が、制御信号に基づいて、複数の人が集まる空間に対して環境を提供する。
【００６３】
したがって、人の存在を検知するので、人が不在の場合に疾病の感染が進行しないように環境を提供することを低減することができる。このため、省エネルギー化を図ることができる。
【００６４】
第１７発明に係る環境提供システムは、第５発明から第１６発明のいずれかの環境提供システムであって、入力装置をさらに備える。入力装置には、空間に存在する複数の人の情報が入力される。制御装置は、空間に存在する複数の人の情報に基づいて、疾病情報を推定する。
【００６５】
この環境提供システムでは、疾病情報が、空間の近くにおける疾病の情報を含む。入力装置に、空間に存在する複数の人の情報が入力される。制御装置が、空間に存在する複数の人の情報を受け取ることができる。制御装置が、空間に存在する複数の人の情報に基づいて、疾病情報を推定する。制御装置が、疾病情報に基づいて制御信号を生成する。環境提供装置が、制御装置から制御信号を受け取ることができる。環境提供装置が、制御信号に基づいて、複数の人が集まる空間に対して環境を提供する。
【００６６】
したがって、空間に存在する複数の人の情報に基づいて疾病情報を推定するので、空間の近くにおける疾病の情報を推定することができる。このため、空間の近くで局所的に発生している疾病の情報を把握することができる。
【００６７】
第１８発明に係る環境提供システムは、第５発明から第１７発明のいずれかの環境提供システムであって、症状検知装置をさらに備える。症状検知装置は、空間に存在する複数の人の症状を検知する。制御装置は、空間に存在する複数の人の症状に基づいて、疾病情報を推定する。
【００６８】
この環境提供システムでは、疾病情報が、空間の近くにおける疾病の情報を含む。症状検知装置が、空間に存在する複数の人の症状を検知する。制御装置が、空間に存在する複数の人の症状の情報を受け取ることができる。制御装置が、空間に存在する複数の人の症状に基づいて、疾病情報を推定する。制御装置が、疾病情報に基づいて制御信号を生成する。環境提供装置が、制御装置から制御信号を受け取ることができる。環境提供装置が、制御信号に基づいて、複数の人が集まる空間に対して環境を提供する。
【００６９】
したがって、空間に存在する複数の人の症状に基づいて疾病情報を推定するので、空間の近くにおける疾病の情報を推定することができる。このため、空間の近くで局所的に発生している疾病の情報を把握することができる。
【００７０】
なお、空間に存在する複数の人の症状は、例えば、空間に存在する複数の人が発する咳の音であってもよいし、空間に存在する複数の人の体温であってもよいし、空間に存在する複数の人の顔色であってもよいし、空間に存在する複数の人の脳波であってもよいし、空間に存在する複数の人の心拍に関する情報であってもよいし、どのような症状であってもよい。
【００７１】
第１９発明に係る環境提供システムは、第１発明の環境提供システムであって、疾病情報は、流行度情報を含む。流行度情報は、疾病の流行の度合いを示す情報である。制御装置は、疾病が流行したときの疾病の罹患率が罹患目標値付近の値になるように、流行度情報と相関情報とに基づいて制御信号を生成する。罹患目標値は、疾病の罹患率に関する所定の目標値である。
【００７２】
この環境提供システムでは、疾病情報が、流行度情報を含む。制御装置が、流行度情報を取得し、流行度情報と相関情報とに基づいて制御信号を生成する。制御装置が、疾病が流行したときの疾病の罹患率が罹患目標値付近の値になるように、流行度情報と相関情報とに基づいて制御信号を生成する。環境提供装置が、制御装置から制御信号を受け取ることができる。環境提供装置が、制御信号に基づいて、複数の人が集まる空間に対して環境を提供する。
【００７３】
したがって、流行度情報と相関情報とに基づいて制御信号を生成するので、相関情報が疾病の流行の度合いに応じて変わる場合でも、疾病の罹患率が罹患目標値付近の値になるように制御信号を生成することができる。また、疾病が流行したときの疾病の罹患率が罹患目標値付近の値になるように制御信号を生成するので、疾病の流行が発生したときに疾病の感染が進行しないようにしながら無駄な消費エネルギーの増加を抑えるように、複数の人が集まる空間に対して環境を提供することができる。
【００７４】
第２０発明に係る環境提供システムは、第１発明から第１９発明のいずれかの環境提供システムであって、罹患率情報は、疾病の罹患率、疾病の罹患による生産性の低下率、疾病の罹患により発生する損害額、疾病の罹患により発生する医療費の増加率及び疾病の罹患により発生する医療費の増加額の少なくとも１つに関する情報を含む。
【００７５】
この環境提供システムでは、制御装置が、疾病情報を取得し、相関情報に基づいて制御信号を生成する。相関情報が、制御情報と罹患率情報との相関関係についての情報である。罹患率情報が、疾病の罹患率、疾病の罹患による生産性の低下率、疾病の罹患により発生する損害額、疾病の罹患により発生する医療費の増加率及び疾病の罹患により発生する医療費の増加額の少なくとも１つに関する情報を含む。環境提供装置が、制御装置から制御信号を受け取ることができる。環境提供装置が、制御信号に基づいて、複数の人が集まる空間に対して環境を提供する。
【００７６】
したがって、罹患率情報を詳細な情報とすることができるので、相関情報に基づいて環境提供装置を詳細に制御することができる。
【００７７】
第２１発明に係る環境提供システムは、第１発明から第２０発明のいずれかの環境提供システムであって、環境提供装置は、空間に対して換気する能力を有している。制御装置は、疾病が流行したときの疾病の罹患率が罹患目標値付近の値になるように、相関情報に基づいて、空間に対する換気量の制御信号を生成する。罹患目標値は、疾病の罹患率に関する所定の目標値である。
【００７８】
この環境提供システムでは、制御装置が、疾病情報を取得し、相関情報に基づいて制御信号を生成する。制御装置が、疾病が流行したときの疾病の罹患率が罹患目標値付近の値になるように、相関情報に基づいて、空間に対する換気量の制御信号を生成する。環境提供装置が、制御装置から制御信号を受け取ることができる。環境提供装置が、空間に対して換気する能力を有している。環境提供装置が、制御信号に基づいて、複数の人が集まる空間に対して環境を提供する。
【００７９】
したがって、疾病が流行したときの疾病の罹患率が罹患目標値付近の値になるように制御信号を生成するので、疾病の流行が発生したときに、環境提供装置が、空間に対する換気量を適度に増やして換気することができる。このため、空間における疾病の病原菌の濃度を低減することができるので、疾病が流行したときに疾病の感染を低減することができる。また、過剰に換気量を増やすことが低減されるので、無駄な消費エネルギーの増加を抑えることができる。
【００８０】
第２２発明に係る環境提供システムは、第１発明から第２０発明のいずれかの環境提供システムであって、環境提供装置は、空間に対して空気清浄する能力を有している。制御装置は、疾病が流行したときの疾病の罹患率が罹患目標値付近の値になるように、相関情報に基づいて、空間に対する空気清浄能力の制御信号を生成する。罹患目標値は、疾病の罹患率に関する所定の目標値である。
【００８１】
この環境提供システムでは、制御装置が、疾病情報を取得し、相関情報に基づいて制御信号を生成する。制御装置が、疾病が流行したときの疾病の罹患率が罹患目標値付近の値になるように、相関情報に基づいて、空間に対する空気清浄能力の制御信号を生成する。環境提供装置が、制御装置から制御信号を受け取ることができる。環境提供装置が、空間に対して空気清浄する能力を有している。環境提供装置が、制御信号に基づいて、複数の人が集まる空間に対して環境を提供する。
【００８２】
したがって、疾病が流行したときの疾病の罹患率が罹患目標値付近の値になるように制御信号を生成するので、疾病の流行が発生したときに、環境提供装置が、空間に対する空気清浄能力を適度に強化して空気清浄することができる。このため、空間における疾病の病原菌の濃度を低減することができるので、疾病が流行したときに疾病の感染を低減することができる。また、過剰に空気清浄能力を強化することが低減されるので、無駄な消費エネルギーの増加を抑えることができる。
【００８３】
第２３発明に係る環境提供システムは、第２２発明の環境提供システムであって、環境提供装置は、空間に対する空気清浄能力の制御信号に基づいて、空間に対して、複数のフィルタを用いて空気清浄を行う。
【００８４】
この環境提供システムでは、制御装置が、疾病情報を取得し、相関情報に基づいて制御信号を生成する。制御装置が、疾病が流行したときの疾病の罹患率が罹患目標値付近の値になるように、相関情報に基づいて、空間に対する空気清浄能力の制御信号を生成する。環境提供装置が、制御装置から制御信号を受け取ることができる。環境提供装置が、空間に対して空気清浄する能力を有している。環境提供装置が、制御信号に基づいて、複数の人が集まる空間に対して環境を提供する。環境提供装置が、空間に対する空気清浄能力の制御信号に基づいて、空間に対して、複数のフィルタを用いて空気清浄を行う。
【００８５】
したがって、疾病が流行したときの疾病の罹患率が罹患目標値付近の値になるように制御信号を生成するので、疾病の流行が発生したときに、疾病の感染が進行しないように、空気清浄能力の適度に強いフィルタを用いて空気清浄を行うことができる。あるいは、空気清浄に用いるフィルタの数を適度に増加させることができる。この結果、過剰に空気清浄能力を強化することが低減されるので、無駄な運用コストの増加を抑えることができるため、運用コストの低減化を図りながら疾病の感染を低減することができる。
【００８６】
第２４発明に係る環境提供システムは、第１発明から第２０発明のいずれかの環境提供システムであって、環境提供装置は、空間に対して加湿する能力を有している。制御装置は、疾病が流行したときの疾病の罹患率が罹患目標値付近の値になるように、相関情報に基づいて、空間に対する加湿量の制御信号を生成する。罹患目標値は、疾病の罹患率に関する所定の目標値である。
【００８７】
この環境提供システムでは、制御装置が、疾病情報を取得し、相関情報に基づいて制御信号を生成する。制御装置が、疾病が流行したときの疾病の罹患率が罹患目標値付近の値になるように、相関情報に基づいて、空間に対する加湿量の制御信号を生成する。環境提供装置が、制御装置から制御信号を受け取ることができる。環境提供装置が、空間に対して加湿する能力を有している。環境提供装置が、制御信号に基づいて、複数の人が集まる空間に対して環境を提供する。
【００８８】
したがって、疾病が流行したときの疾病の罹患率が罹患目標値付近の値になるように制御信号を生成するので、湿度に弱い病原菌による疾病の流行が発生したときに、環境提供装置が、空間に対する加湿量を適度に増やして加湿することができる。このため、空間における疾病の病原菌の濃度を低減することができるので、疾病が流行したときに疾病の感染を低減することができる。また、過剰に加湿量を増やすことが低減されるので、無駄な消費エネルギーの増加を抑えることができる。
【００８９】
第２５発明に係る環境提供システムは、第１発明から第２０発明のいずれかの環境提供システムであって、環境提供装置は、空間に対して除湿する能力を有している。制御装置は、疾病が流行したときの疾病の罹患率が罹患目標値付近の値になるように、相関情報に基づいて、空間に対する除湿量の制御信号を生成する。罹患目標値は、疾病の罹患率に関する所定の目標値である。
【００９０】
この環境提供システムでは、制御装置が、疾病情報を取得し、相関情報に基づいて制御信号を生成する。制御装置が、疾病が流行したときの疾病の罹患率が罹患目標値付近の値になるように、相関情報に基づいて、空間に対する除湿量の制御信号を生成する。環境提供装置が、制御装置から制御信号を受け取ることができる。環境提供装置が、空間に対して除湿する能力を有している。環境提供装置が、制御信号に基づいて、複数の人が集まる空間に対して環境を提供する。
【００９１】
したがって、疾病が流行したときの疾病の罹患率が罹患目標値付近の値になるように制御信号を生成するので、乾燥に弱い病原菌による疾病の流行が発生したときに、環境提供装置が、空間に対する除湿量を適度に増やして除湿することができる。このため、空間における疾病の病原菌の濃度を低減することができるので、疾病が流行したときに疾病の感染を低減することができる。また、過剰に除湿量を増やすことが低減されるので、無駄な消費エネルギーの増加を抑えることができる。
【００９２】
第２６発明に係る環境提供装置は、受取部と、環境提供部とを備える。受取部は、制御装置から、制御信号を受け取る。制御装置は、疾病情報を取得して疾病情報に基づいて制御信号を生成する。環境提供部は、制御信号に基づいて、複数の人が集まる空間に対して環境を提供する。
【００９３】
この環境提供装置では、受取部が、疾病情報を取得して疾病情報に基づいて制御信号を生成する制御装置から、制御信号を受け取る。環境提供部が、制御信号に基づいて、複数の人が集まる空間に対して環境を提供する。
【００９４】
したがって、疾病情報に基づいて環境提供装置を制御することができるので、疾病の流行が発生したときに疾病の感染が進行しないように、複数の人が集まる空間に対して環境を提供することができる。また、疾病の流行が発生していないときに省エネルギー化を達成できるように、複数の人が集まる空間に対して環境を提供することができる。このため、省エネルギー化を図りながら疾病の感染を低減することができる。
【００９５】
なお、制御装置と環境提供装置とは、有線回線により接続されていてもよく、無線回線により接続されていてもよく、内部配線により接続されていてもよい。制御装置が疾病情報を取得する方法は、ネットワーク経由で情報を取得する方法でもよいし、直接的に情報が入力される方法でもよい。疾病情報は、疾病そのものの情報であり、例えば、花粉情報や気象情報のように疾病に間接的に関連した情報は含まない。
【００９６】
また、制御装置は、相関情報に基づいて制御信号を生成する。相関情報は、制御情報と罹患率情報との相関関係についての情報である。制御情報は、制御信号に関する情報である。罹患率情報は、疾病の罹患率に関する情報である。
【００９７】
この環境提供装置では、受取部が、疾病情報を取得して相関情報に基づいて制御信号を生成する制御装置から、制御信号を受け取る。環境提供部が、制御信号に基づいて、複数の人が集まる空間に対して環境を提供する。
【００９８】
したがって、疾病が流行したときの疾病の罹患率が所定の目標値付近の値になるように、相関情報に基づいて環境提供装置を制御すれば、疾病の流行が発生したときに疾病の感染が進行しないようにしながら無駄な消費エネルギーの増加を抑えるように、複数の人が集まる空間に対して環境を提供することができる。また、疾病の流行が発生していないときに省エネルギー化を達成できるように、複数の人が集まる空間に対して環境を提供することができる。このため、省エネルギー化を図りながら疾病の感染を低減することができる。
【００９９】
さらに、制御装置が、疾病情報を取得し、相関情報に基づいて制御信号を生成する。制御装置が、疾病が流行したときの疾病の罹患率が罹患目標値付近の値になるように、相関情報に基づいて制御信号を生成する。環境提供装置が、制御装置から制御信号を受け取ることができる。環境提供装置が、制御信号に基づいて、複数の人が集まる空間に対して環境を提供する。
【０１００】
したがって、疾病が流行したときの疾病の罹患率が罹患目標値付近の値になるように制御信号を生成するので、疾病の流行が発生したときに疾病の感染が進行しないようにしながら無駄な消費エネルギーの増加を抑えるように、複数の人が集まる空間に対して環境を提供することができる。
【０１０１】
第２７発明に係る環境提供装置は、受取部と複数の空気清浄部とを備える。受取部は、制御装置から、空間に対する空気清浄能力の制御信号を受け取る。制御装置は、疾病情報を取得して、疾病情報に基づいて、複数の人が集まる空間に対する空気清浄能力の制御信号を生成する。空気清浄部は、空間に対する空気清浄能力の制御信号に基づいて、空間に対して、フィルタを用いて空気清浄を行う。
【０１０２】
この環境提供装置では、受取部が、疾病情報を取得して疾病情報に基づいて複数の人が集まる空間に対する空気清浄能力の制御信号を生成する制御装置から、空間に対する空気清浄能力の制御信号を受け取る。複数の空気清浄部が、複数の人が集まる空間に対する空気清浄能力の制御信号を受け取ることができる。複数の空気清浄部のそれぞれが、複数の人が集まる空間に対する空気清浄能力の制御信号に基づいて、複数の人が集まる空間に対して、フィルタを用いて空気清浄を行う。
【０１０３】
したがって、疾病情報に基づいて環境提供装置を制御することができるので、疾病の流行が発生したときに疾病の感染が進行しないように、空気清浄能力の強いフィルタを用いて空気清浄を行うことができる。あるいは、空気清浄に用いるフィルタの数を増加させることができる。また、疾病の流行が発生していないときに運用コストを低減できるように、空気清浄能力の弱いフィルタを用いて空気清浄を行うことができる。あるいは、空気清浄に用いるフィルタの数を低減させることができる。このため、運用コストの低減化を図りながら疾病の感染を低減することができる。
【０１０４】
なお、それぞれの空気清浄部は、例えば、１つのフィルタを有していてもよいし、複数のフィルタを有していてもよい。
【０１０５】
また、制御装置は、相関情報に基づいて、空間に対する空気清浄能力の制御信号を生成する。相関情報は、制御情報と罹患率情報との相関関係についての情報である。制御情報は、制御信号に関する情報である。罹患率情報は、疾病の罹患率に関する情報である。
【０１０６】
この環境提供装置では、受取部が、相関情報に基づいて複数の人が集まる空間に対する空気清浄能力の制御信号を生成する制御装置から、空間に対する空気清浄能力の制御信号を受け取る。複数の空気清浄部が、複数の人が集まる空間に対する空気清浄能力の制御信号を受け取ることができる。複数の空気清浄部のそれぞれが、複数の人が集まる空間に対する空気清浄能力の制御信号に基づいて、複数の人が集まる空間に対して、フィルタを用いて空気清浄を行う。
【０１０７】
したがって、疾病が流行したときの疾病の罹患率が所定の目標値付近の値になるように、相関情報に基づいて環境提供装置を制御すれば、疾病の流行が発生したときに、疾病の感染が進行しないように、空気清浄能力の適度に強いフィルタを用いて空気清浄を行うことができる。あるいは、空気清浄に用いるフィルタの数を適度に増加させることができる。この結果、過剰に空気清浄能力を強化することが低減されるので、無駄な運用コストの増加を抑えることができるため、運用コストの低減化を図りながら疾病の感染を低減することができる。
【０１０８】
さらに、制御装置が、疾病情報を取得し、相関情報に基づいて制御信号を生成する。制御装置が、疾病が流行したときの疾病の罹患率が罹患目標値付近の値になるように、相関情報に基づいて空間に対する空気清浄能力の制御信号を生成する。環境提供装置が、制御装置から制御信号を受け取ることができる。環境提供装置が、空間に対する空気清浄能力の制御信号に基づいて、複数の人が集まる空間に対して環境を提供する。
【０１０９】
したがって、疾病が流行したときの疾病の罹患率が罹患目標値付近の値になるように、空間に対する空気清浄能力の制御信号を生成するので、疾病の流行が発生したときに疾病の感染が進行しないようにしながら無駄な消費エネルギーの増加を抑えるように、複数の人が集まる空間に対して環境を提供することができる。
【０１１０】
第２８発明に係る制御装置は、取得部と、演算部と、受渡部とを備える。取得部は、疾病情報を取得する。演算部は、疾病情報に基づいて制御信号を生成する。受渡部は、環境提供装置に、制御信号を受け渡す。環境提供装置は、制御信号に基づいて、複数の人が集まる空間に対して環境を提供する。
【０１１１】
この制御装置では、取得部が、疾病情報を取得する。演算部が、取得部から疾病情報を受け取ることができる。演算部が、疾病情報に基づいて制御信号を生成する。受渡部が、演算部から制御信号を受け取ることができる。受渡部が、環境提供装置に、制御信号を受け渡す。これにより、環境提供装置が、制御信号に基づいて、複数の人が集まる空間に対して環境を提供するようにすることができる。
【０１１２】
したがって、疾病情報に基づいて環境提供装置を制御することができるので、疾病の流行が発生したときに疾病の感染が進行しないように、複数の人が集まる空間に対して環境を提供することができる。また、疾病の流行が発生していないときに省エネルギー化を達成できるように、複数の人が集まる空間に対して環境を提供することができる。このため、省エネルギー化を図りながら疾病の感染を低減することができる。
【０１１３】
なお、制御装置と環境提供装置とは、有線回線により接続されていてもよく、無線回線により接続されていてもよく、内部配線により接続されていてもよい。制御装置が疾病情報を取得する方法は、ネットワーク経由で情報を取得する方法でもよいし、直接的に情報が入力される方法でもよい。疾病情報は、疾病そのものの情報であり、例えば、花粉情報や気象情報のように疾病に間接的に関連した情報は含まない。
【０１１４】
また、演算部は、相関情報に基づいて制御信号を生成する。相関情報は、制御情報と罹患率情報との相関関係についての情報である。制御情報は、制御信号に関する情報である。罹患率情報は、疾病の罹患率に関する情報である。
【０１１５】
この制御装置では、取得部が、疾病情報を取得する。演算部が、取得部から疾病情報を受け取ることができる。演算部が、相関情報に基づいて制御信号を生成する。受渡部が、演算部から制御信号を受け取ることができる。受渡部が、環境提供装置に、制御信号を受け渡す。これにより、環境提供装置が、制御信号に基づいて、複数の人が集まる空間に対して環境を提供するようにすることができる。
【０１１６】
したがって、疾病が流行したときの疾病の罹患率が所定の目標値付近の値になるように、相関情報に基づいて環境提供装置を制御すれば、疾病の流行が発生したときに疾病の感染が進行しないようにしながら無駄な消費エネルギーの増加を抑えるように、複数の人が集まる空間に対して環境を提供することができる。また、疾病の流行が発生していないときに省エネルギー化を達成できるように、複数の人が集まる空間に対して環境を提供することができる。このため、省エネルギー化を図りながら疾病の感染を低減することができる。
【０１１７】
さらに、制御信号は、疾病が流行したときの疾病の罹患率が罹患目標値付近の値になるように、相関情報に基づいて生成されるものである。
【０１１８】
したがって、疾病が流行したときの疾病の罹患率が罹患目標値付近の値になるように制御信号が生成されるので、疾病の流行が発生したときに疾病の感染が進行しないようにしながら無駄な消費エネルギーの増加を抑えるように、複数の人が集まる空間に対して環境を提供することができる。
【０１１９】
第２９発明に係る制御装置は、取得部と演算部と受渡部とを備える。取得部は、疾病情報を取得する。演算部は、疾病情報に基づいて、複数の人が集まる空間に対する空気清浄能力の制御信号を生成する。受渡部は、環境提供装置に、空間に対する空気清浄能力の制御信号を受け渡す。環境提供装置は、空間に対する空気清浄能力の制御信号に基づいて、空間に対して複数のフィルタを用いて空気清浄を行う。
【０１２０】
この制御装置では、演算部が、疾病情報に基づいて、複数の人が集まる空間に対する空気清浄能力の制御信号を生成する。受渡部が、複数の人が集まる空間に対する空気清浄能力の制御信号を受け取ることができる。受渡部が、環境提供装置に、複数の人が集まる空間に対する空気清浄能力の制御信号を受け渡す。これにより、複数の人が集まる空間に対する空気清浄能力の制御信号に基づいて、空間に対して、複数のフィルタを用いて環境提供装置が空気清浄を行うようにすることができる。
【０１２１】
したがって、疾病情報に基づいて環境提供装置を制御することができるので、疾病の流行が発生したときに疾病の感染が進行しないように、空気清浄能力の強いフィルタを用いて空気清浄を行うことができる。あるいは、空気清浄に用いるフィルタの数を増加させることができる。また、疾病の流行が発生していないときに運用コストを低減できるように、空気清浄能力の弱いフィルタを用いて空気清浄を行うことができる。あるいは、空気清浄に用いるフィルタの数を低減させることができる。このため、運用コストの低減化を図りながら疾病の感染を低減することができる。
【０１２２】
また、演算部は、相関情報に基づいて、空間に対する空気清浄能力の制御信号を生成する。相関情報は、制御情報と罹患率情報との相関関係についての情報である。制御情報は、制御信号に関する情報である。罹患率情報は、疾病の罹患率に関する情報である。
【０１２３】
この制御装置では、演算部が、相関情報に基づいて、複数の人が集まる空間に対する空気清浄能力の制御信号を生成する。受渡部が、複数の人が集まる空間に対する空気清浄能力の制御信号を受け取ることができる。受渡部が、環境提供装置に、複数の人が集まる空間に対する空気清浄能力の制御信号を受け渡す。これにより、複数の人が集まる空間に対する空気清浄能力の制御信号に基づいて、空間に対して、複数のフィルタを用いて環境提供装置が空気清浄を行うようにすることができる。
【０１２４】
したがって、疾病が流行したときの疾病の罹患率が所定の目標値付近の値になるように、相関情報に基づいて環境提供装置を制御すれば、疾病の流行が発生したときに、疾病の感染が進行しないように、空気清浄能力の適度に強いフィルタを用いて空気清浄を行うことができる。あるいは、空気清浄に用いるフィルタの数を適度に増加させることができる。この結果、過剰に空気清浄能力を強化することが低減されるので、無駄な運用コストの増加を抑えることができるため、運用コストの低減化を図りながら疾病の感染を低減することができる。
【０１２５】
さらに、空間に対する空気清浄能力の制御信号は、疾病が流行したときの疾病の罹患率が罹患目標値付近の値になるように、相関情報に基づいて生成されるものである。
【０１２６】
したがって、疾病が流行したときの疾病の罹患率が罹患目標値付近の値になるように、空間に対する空気清浄能力の制御信号が生成されるので、疾病の流行が発生したときに疾病の感染が進行しないようにしながら無駄な消費エネルギーの増加を抑えるように、複数の人が集まる空間に対して環境を提供することができる。
【０１２７】
第３０発明に係る環境提供方法は、制御ステップと、環境提供ステップとを備える。制御ステップでは、疾病情報が取得され、疾病情報に基づいて制御信号が生成される。環境提供ステップでは、制御信号に基づいて、複数の人が集まる空間に対して環境が提供される。
【０１２８】
この環境提供方法では、制御ステップにおいて、疾病情報が取得され、疾病情報に基づいて制御信号が生成される。環境提供ステップにおいて、制御信号が受け取られ得る。環境提供ステップにおいて、制御信号に基づいて、複数の人が集まる空間に対して環境が提供される。
【０１２９】
したがって、疾病情報に基づいて環境を提供するように制御することができるので、疾病の流行が発生したときに疾病の感染が進行しないように、複数の人が集まる空間に対して環境を提供することができる。また、疾病の流行が発生していないときに省エネルギー化を達成できるように、複数の人が集まる空間に対して環境を提供することができる。このため、省エネルギー化を図りながら疾病の感染を低減することができる。
【０１３０】
なお、制御ステップにおいて疾病情報が取得される方法は、ネットワーク経由で情報が取得される方法でもよいし、直接的に情報が入力される方法でもよい。疾病情報は、疾病そのものの情報であり、例えば、花粉情報や気象情報のように疾病に間接的に関連した情報は含まない。
【０１３１】
また、制御ステップにおいて、相関情報に基づいて制御信号が生成される。相関情報は、制御情報と罹患率情報との相関関係についての情報である。制御情報は、制御信号に関する情報である。罹患率情報は、疾病の罹患率に関する情報である。
【０１３２】
この環境提供方法では、制御ステップにおいて、疾病情報が取得され、相関情報に基づいて制御信号が生成される。環境提供ステップにおいて、制御信号が受け取られ得る。環境提供ステップにおいて、制御信号に基づいて、複数の人が集まる空間に対して環境が提供される。
【０１３３】
したがって、疾病が流行したときの疾病の罹患率が所定の目標値付近の値になるように、相関情報に基づいて環境が提供されるように制御すれば、疾病の流行が発生したときに疾病の感染が進行しないようにしながら無駄な消費エネルギーの増加を抑えるように、複数の人が集まる空間に対して環境を提供することができる。また、疾病の流行が発生していないときに省エネルギー化を達成できるように、複数の人が集まる空間に対して環境を提供することができる。このため、省エネルギー化を図りながら疾病の感染を低減することができる。
【０１３４】
さらに、制御ステップでは、疾病が流行したときの疾病の罹患率が罹患目標値付近の値になるように、相関情報に基づいて制御信号が生成される。
【０１３５】
したがって、疾病が流行したときの疾病の罹患率が罹患目標値付近の値になるように制御信号が生成されるので、疾病の流行が発生したときに疾病の感染が進行しないようにしながら無駄な消費エネルギーの増加を抑えるように、複数の人が集まる空間に対して環境を提供することができる。
【０１３６】
第３１発明に係る環境提供方法は、制御ステップと空気清浄ステップとを備える。制御ステップでは、疾病情報が取得され、疾病情報に基づいて、複数の人が集まる空間に対する空気清浄能力の制御信号が生成される。空気清浄ステップでは、空間に対する空気清浄能力の制御信号に基づいて、空間に対して、複数のフィルタを用いて空気清浄が行われる。
【０１３７】
この環境提供方法では、制御ステップにおいて、疾病情報が取得され、疾病情報に基づいて、複数の人が集まる空間に対する空気清浄能力の制御信号が生成される。空気清浄ステップにおいて、制御装置から、複数の人が集まる空間に対する空気清浄能力の制御信号が受け取られ得る。空気清浄ステップにおいて、複数の人が集まる空間に対する空気清浄能力の制御信号に基づいて、空間に対して、複数のフィルタを用いて空気清浄が行われる。
【０１３８】
したがって、疾病情報に基づいて空気清浄が行われるように制御することができるので、疾病の流行が発生したときに疾病の感染が進行しないように、空気清浄能力の強いフィルタを用いて空気清浄を行うことができる。あるいは、空気清浄に用いるフィルタの数を増加させることができる。また、疾病の流行が発生していないときに運用コストを低減できるように、空気清浄能力の弱いフィルタを用いて空気清浄を行うことができる。あるいは、空気清浄に用いるフィルタの数を低減させることができる。このため、運用コストの低減化を図りながら疾病の感染を低減することができる。
【０１３９】
また、制御ステップにおいて、相関情報に基づいて、空間に対する空気清浄能力の制御信号が生成される。相関情報は、制御情報と罹患率情報との相関関係についての情報である。制御情報は、制御信号に関する情報である。罹患率情報は、疾病の罹患率に関する情報である。
【０１４０】
この環境提供方法では、制御ステップにおいて、疾病情報が取得され、相関情報に基づいて、複数の人が集まる空間に対する空気清浄能力の制御信号が生成される。空気清浄ステップにおいて、制御装置から、複数の人が集まる空間に対する空気清浄能力の制御信号が受け取られ得る。空気清浄ステップにおいて、複数の人が集まる空間に対する空気清浄能力の制御信号に基づいて、空間に対して、複数のフィルタを用いて空気清浄が行われる。
【０１４１】
したがって、疾病が流行したときの疾病の罹患率が所定の目標値付近の値になるように、相関情報に基づいて環境提供装置を制御すれば、疾病の流行が発生したときに、疾病の感染が進行しないように、空気清浄能力の適度に強いフィルタを用いて空気清浄を行うことができる。あるいは、空気清浄に用いるフィルタの数を適度に増加させることができる。この結果、過剰に空気清浄能力を強化することが低減されるので、無駄な運用コストの増加を抑えることができるため、運用コストの低減化を図りながら疾病の感染を低減することができる。
【０１４２】
さらに、制御ステップでは、疾病が流行したときの疾病の罹患率が罹患目標値付近の値になるように、相関情報に基づいて空間に対する空気清浄能力の制御信号が生成される。
【０１４３】
したがって、疾病が流行したときの疾病の罹患率が罹患目標値付近の値になるように、空間に対する空気清浄能力の制御信号が生成されるので、疾病の流行が発生したときに疾病の感染が進行しないようにしながら無駄な消費エネルギーの増加を抑えるように、複数の人が集まる空間に対して環境を提供することができる。
【発明の効果】
【０１４４】
第１発明に係る環境提供システムでは、疾病情報に基づいて環境提供装置を制御することができるので、疾病の流行が発生したときに疾病の感染が進行しないように、複数の人が集まる空間に対して環境を提供することができる。また、疾病の流行が発生していないときに省エネルギー化を達成できるように、複数の人が集まる空間に対して環境を提供することができる。このため、省エネルギー化を図りながら疾病の感染を低減することができる。
【０１４５】
また、疾病が流行したときの疾病の罹患率が所定の目標値付近の値になるように、相関情報に基づいて環境提供装置を制御すれば、疾病の流行が発生したときに疾病の感染が進行しないようにしながら無駄な消費エネルギーの増加を抑えるように、複数の人が集まる空間に対して環境を提供することができる。また、疾病の流行が発生していないときに省エネルギー化を達成できるように、複数の人が集まる空間に対して環境を提供することができる。このため、省エネルギー化を図りながら疾病の感染を低減することができる。
【０１４６】
さらに、疾病が流行したときの疾病の罹患率が罹患目標値付近の値になるように制御信号を生成するので、疾病の流行が発生したときに疾病の感染が進行しないようにしながら無駄な消費エネルギーの増加を抑えるように、複数の人が集まる空間に対して環境を提供することができる。
【０１４７】
第２発明に係る環境提供システムでは、複数の人が集まる空間に対して、疾病情報に基づいて制御された環境を提供することができる。このため、疾病の流行が発生したときに疾病の感染を低減することができる。
【０１４８】
第３発明に係る環境提供システムでは、疾病の患者数が一定数以上である場合に、制御装置が、疾病の流行が発生したと判断することができる。このため、疾病の流行の発生を容易に決めることができる。
【０１４９】
第４発明に係る環境提供システムでは、疾病の危険度が一定の値以上である場合に、制御装置が、対応すべき疾病であると判断することができる。このため、危険度又は死亡率の高い疾病にのみ対応することができるので、省エネルギー化を図ることができる。
【０１５０】
第５発明に係る環境提供システムでは、空間の近くで局所的に発生している疾病の情報であっても、制御装置が、疾病の流行が発生したと判断することができる。このため、空間の近くで局所的に発生している疾病の流行へ迅速に対応することができる。
【０１５１】
第６発明に係る環境提供システムでは、疾病の流行が発生したときに、環境提供装置が、空間に対する換気量を増やして換気することができる。このため、空間における疾病の病原菌の濃度を低減することができるので、疾病が流行したときに疾病の感染を低減することができる。
【０１５２】
第７発明に係る環境提供システムでは、疾病の流行が発生したときに、環境提供装置が、空間に対する空気清浄能力を強化して空気清浄することができる。このため、空間における疾病の病原菌の濃度を低減することができるので、疾病が流行したときに疾病の感染を低減することができる。
【０１５３】
第８発明に係る環境提供システムでは、湿度に弱い病原菌による疾病の流行が発生したときに、環境提供装置が、空間に対する加湿量を増やして加湿することができる。このため、空間における疾病の病原菌の濃度を低減することができるので、疾病が流行したときに疾病の感染を低減することができる。
【０１５４】
第９発明に係る環境提供システムでは、乾燥に弱い病原菌による疾病の流行が発生したときに、環境提供装置が、空間に対する除湿量を増やして除湿することができる。このため、空間における疾病の病原菌の濃度を低減することができるので、疾病が流行したときに疾病の感染を低減することができる。
【０１５５】
第１０発明に係る環境提供システムでは、疾病情報に基づいて環境提供装置を制御することができるので、疾病の流行が発生したときに疾病の感染が進行しないように、空気清浄能力の強いフィルタを用いて空気清浄を行うことができる。あるいは、空気清浄に用いるフィルタの数を増加させることができる。また、疾病の流行が発生していないときに運用コストを低減できるように、空気清浄能力の弱いフィルタを用いて空気清浄を行うことができる。あるいは、空気清浄に用いるフィルタの数を低減させることができる。このため、運用コストの低減化を図りながら疾病の感染を低減することができる。
【０１５６】
第１１発明に係る環境提供システムでは、第１フィルタの空気清浄能力が第２フィルタの空気清浄能力よりも強いので、第２フィルタの運用コストが第１フィルタの運用コストよりも低いことが多くなる。このため、疾病の流行が発生していないときに運用コストを低減できるように、第２フィルタを用いて空気清浄を行うことができる。また、疾病の流行が発生したときに疾病の感染が進行しないように、第１フィルタを用いて空気清浄を行うことができる。この結果、運用コストの低減化を図りながら疾病の感染を低減することができる。
【０１５７】
第１２発明に係る環境提供システムでは、疾病情報に基づいて第１状態と第２状態とを切り換えることができるので、疾病の流行が発生したときに疾病の感染が進行しないように、第１フィルタを用いて空気清浄を行うことができる。また、疾病の流行が発生していないときに運用コストを低減できるように、第２フィルタを用いて空気清浄を行うことができる。
【０１５８】
第１３発明に係る環境提供システムでは、疾病情報に基づいて第１空気清浄部と第２空気清浄部とを切り換えることができるので、疾病の流行が発生したときに疾病の感染が進行しないように、第１フィルタを用いて空気清浄を行うことができる。また、疾病の流行が発生していないときに運用コストを低減できるように、第２フィルタを用いて空気清浄を行うことができる。
【０１５９】
第１４発明に係る環境提供システムでは、疾病情報に基づいて稼働する空気清浄部の数量を制御することができるので、疾病の流行が発生したときに疾病の感染が進行しないように、空気清浄に用いるフィルタの数を増加させることができる。また、疾病の流行が発生していないときに運用コストを低減できるように、空気清浄に用いるフィルタの数を低減させることができる。
【０１６０】
第１５発明に係る環境提供システムでは、環境提供装置の稼働スケジュールを記憶するので、疾病の流行が発生したときに疾病の感染が進行しないように環境を提供することを制限する時間帯を設定することができる。このため、疾病の感染が進行しないように環境を提供した際に発生する弊害を低減することができる。
【０１６１】
第１６発明に係る環境提供システムでは、人の存在を検知するので、人が不在の場合に疾病の感染が進行しないように環境を提供することを低減することができる。このため、省エネルギー化を図ることができる。
【０１６２】
第１７発明に係る環境提供システムでは、空間に存在する複数の人の情報に基づいて疾病情報を推定するので、空間の近くにおける疾病の情報を推定することができる。このため、空間の近くで局所的に発生している疾病の情報を把握することができる。
【０１６３】
第１８発明に係る環境提供システムでは、空間に存在する複数の人の症状に基づいて疾
病情報を推定するので、空間の近くにおける疾病の情報を推定することができる。このた
め、空間の近くで局所的に発生している疾病の情報を把握することができる。
【０１６４】
第１９発明に係る環境提供システムでは、流行度情報と相関情報とに基づいて制御信号を生成するので、相関情報が疾病の流行度合いに応じて変わる場合でも、疾病の罹患率が罹患目標値付近の値になるように制御信号を生成することができる。また、疾病が流行したときの疾病の罹患率が罹患目標値付近の値になるように制御信号を生成するので、疾病の流行が発生したときに疾病の感染が進行しないようにしながら無駄な消費エネルギーの増加を抑えるように、複数の人が集まる空間に対して環境を提供することができる。
【０１６５】
第２０発明に係る環境提供システムでは、罹患率情報を詳細な情報とすることができるので、相関情報に基づいて環境提供装置を詳細に制御することができる。
【０１６６】
第２１発明に係る環境提供システムでは、疾病が流行したときの疾病の罹患率が罹患目標値付近の値になるように制御信号を生成するので、疾病の流行が発生したときに、環境提供装置が、空間に対する換気量を適度に増やして換気することができる。このため、空間における疾病の病原菌の濃度を低減することができるので、疾病が流行したときに疾病の感染を低減することができる。また、過剰に換気量を増やすことが低減されるので、無駄な消費エネルギーの増加を抑えることができる。
【０１６７】
第２２発明に係る環境提供システムでは、疾病が流行したときの疾病の罹患率が罹患目標値付近の値になるように制御信号を生成するので、疾病の流行が発生したときに、環境提供装置が、空間に対する空気清浄能力を適度に強化して空気清浄することができる。このため、空間における疾病の病原菌の濃度を低減することができるので、疾病が流行したときに疾病の感染を低減することができる。また、過剰に空気清浄能力を強化することが低減されるので、無駄な消費エネルギーの増加を抑えることができる。
【０１６８】
第２３発明に係る環境提供システムでは、疾病が流行したときの疾病の罹患率が罹患目標値付近の値になるように制御信号を生成するので、疾病の流行が発生したときに、疾病の感染が進行しないように、空気清浄能力の適度に強いフィルタを用いて空気清浄を行うことができる。あるいは、空気清浄に用いるフィルタの数を適度に増加させることができる。この結果、過剰に空気清浄能力を強化することが低減されるので、無駄な運用コストの増加を抑えることができるため、運用コストの低減化を図りながら疾病の感染を低減することができる。
【０１６９】
第２４発明に係る環境提供システムでは、疾病が流行したときの疾病の罹患率が罹患目標値付近の値になるように制御信号を生成するので、湿度に弱い病原菌による疾病の流行が発生したときに、環境提供装置が、空間に対する加湿量を適度に増やして加湿することができる。このため、空間における疾病の病原菌の濃度を低減することができるので、疾病が流行したときに疾病の感染を低減することができる。また、過剰に加湿量を増やすことが低減されるので、無駄な消費エネルギーの増加を抑えることができる。
【０１７０】
第２５発明に係る環境提供システムでは、疾病が流行したときの疾病の罹患率が罹患目標値付近の値になるように制御信号を生成するので、乾燥に弱い病原菌による疾病の流行が発生したときに、環境提供装置が、空間に対する除湿量を適度に増やして除湿することができる。このため、空間における疾病の病原菌の濃度を低減することができるので、疾病が流行したときに疾病の感染を低減することができる。また、過剰に除湿量を増やすことが低減されるので、無駄な消費エネルギーの増加を抑えることができる。
【０１７１】
第２６発明に係る環境提供装置では、疾病情報に基づいて環境提供装置を制御することができるので、疾病の流行が発生したときに疾病の感染が進行しないように、複数の人が集まる空間に対して環境を提供することができる。また、疾病の流行が発生していないときに省エネルギー化を達成できるように、複数の人が集まる空間に対して環境を提供することができる。このため、省エネルギー化を図りながら疾病の感染を低減することができる。
【０１７２】
また、疾病が流行したときの疾病の罹患率が所定の目標値付近の値になるように、相関情報に基づいて環境提供装置を制御すれば、疾病の流行が発生したときに疾病の感染が進行しないようにしながら無駄な消費エネルギーの増加を抑えるように、複数の人が集まる空間に対して環境を提供することができる。また、疾病の流行が発生していないときに省エネルギー化を達成できるように、複数の人が集まる空間に対して環境を提供することができる。このため、省エネルギー化を図りながら疾病の感染を低減することができる。
【０１７３】
さらに、疾病が流行したときの疾病の罹患率が罹患目標値付近の値になるように制御信号を生成するので、疾病の流行が発生したときに疾病の感染が進行しないようにしながら無駄な消費エネルギーの増加を抑えるように、複数の人が集まる空間に対して環境を提供することができる。
【０１７４】
第２７発明に係る環境提供装置では、疾病情報に基づいて環境提供装置を制御することができるので、疾病の流行が発生したときに疾病の感染が進行しないように、空気清浄能力の強いフィルタを用いて空気清浄を行うことができる。あるいは、空気清浄に用いるフィルタの数を増加させることができる。また、疾病の流行が発生していないときに運用コストを低減できるように、空気清浄能力の弱いフィルタを用いて空気清浄を行うことができる。あるいは、空気清浄に用いるフィルタの数を低減させることができる。このため、運用コストの低減化を図りながら疾病の感染を低減することができる。
【０１７５】
また、疾病が流行したときの疾病の罹患率が所定の目標値付近の値になるように、相関情報に基づいて環境提供装置を制御すれば、疾病の流行が発生したときに、疾病の感染が進行しないように、空気清浄能力の適度に強いフィルタを用いて空気清浄を行うことができる。あるいは、空気清浄に用いるフィルタの数を適度に増加させることができる。この結果、過剰に空気清浄能力を強化することが低減されるので、無駄な運用コストの増加を抑えることができるため、運用コストの低減化を図りながら疾病の感染を低減することができる。
【０１７６】
さらに、疾病が流行したときの疾病の罹患率が罹患目標値付近の値になるように、空間に対する空気清浄能力の制御信号を生成するので、疾病の流行が発生したときに疾病の感染が進行しないようにしながら無駄な消費エネルギーの増加を抑えるように、複数の人が集まる空間に対して環境を提供することができる。
【０１７７】
第２８発明に係る制御装置では、疾病情報に基づいて環境提供装置を制御することができるので、疾病の流行が発生したときに疾病の感染が進行しないように、複数の人が集まる空間に対して環境を提供することができる。また、疾病の流行が発生していないときに省エネルギー化を達成できるように、複数の人が集まる空間に対して環境を提供することができる。このため、省エネルギー化を図りながら疾病の感染を低減することができる。
【０１７８】
また、疾病が流行したときの疾病の罹患率が所定の目標値付近の値になるように、相関情報に基づいて環境提供装置を制御すれば、疾病の流行が発生したときに疾病の感染が進行しないようにしながら無駄な消費エネルギーの増加を抑えるように、複数の人が集まる空間に対して環境を提供することができる。また、疾病の流行が発生していないときに省エネルギー化を達成できるように、複数の人が集まる空間に対して環境を提供することができる。このため、省エネルギー化を図りながら疾病の感染を低減することができる。
【０１７９】
さらに、疾病が流行したときの疾病の罹患率が罹患目標値付近の値になるように制御信号を生成するので、疾病の流行が発生したときに疾病の感染が進行しないようにしながら無駄な消費エネルギーの増加を抑えるように、複数の人が集まる空間に対して環境を提供することができる。
【０１８０】
第２９発明に係る制御装置では、疾病情報に基づいて環境提供装置を制御することができるので、疾病の流行が発生したときに疾病の感染が進行しないように、空気清浄能力の強いフィルタを用いて空気清浄を行うことができる。あるいは、空気清浄に用いるフィルタの数を増加させることができる。また、疾病の流行が発生していないときに運用コストを低減できるように、空気清浄能力の弱いフィルタを用いて空気清浄を行うことができる。あるいは、空気清浄に用いるフィルタの数を低減させることができる。このため、運用コストの低減化を図りながら疾病の感染を低減することができる。
【０１８１】
また、疾病が流行したときの疾病の罹患率が所定の目標値付近の値になるように、相関情報に基づいて環境提供装置を制御すれば、疾病の流行が発生したときに、疾病の感染が進行しないように、空気清浄能力の適度に強いフィルタを用いて空気清浄を行うことができる。あるいは、空気清浄に用いるフィルタの数を適度に増加させることができる。この結果、過剰に空気清浄能力を強化することが低減されるので、無駄な運用コストの増加を抑えることができるため、運用コストの低減化を図りながら疾病の感染を低減することができる。
【０１８２】
さらに、疾病が流行したときの疾病の罹患率が罹患目標値付近の値になるように、空間に対する空気清浄能力の制御信号を生成するので、疾病の流行が発生したときに疾病の感染が進行しないようにしながら無駄な消費エネルギーの増加を抑えるように、複数の人が集まる空間に対して環境を提供することができる。
【０１８３】
第３０発明に係る環境提供方法では、疾病情報に基づいて環境を提供するように制御することができるので、疾病の流行が発生したときに疾病の感染が進行しないように、複数の人が集まる空間に対して環境を提供することができる。また、疾病の流行が発生していないときに省エネルギー化を達成できるように、複数の人が集まる空間に対して環境を提供することができる。このため、省エネルギー化を図りながら疾病の感染を低減することができる。
【０１８４】
また、疾病が流行したときの疾病の罹患率が所定の目標値付近の値になるように、相関情報に基づいて環境が提供されるように制御すれば、疾病の流行が発生したときに疾病の感染が進行しないようにしながら無駄な消費エネルギーの増加を抑えるように、複数の人が集まる空間に対して環境を提供することができる。また、疾病の流行が発生していないときに省エネルギー化を達成できるように、複数の人が集まる空間に対して環境を提供することができる。このため、省エネルギー化を図りながら疾病の感染を低減することができる。
【０１８５】
さらに、疾病が流行したときの疾病の罹患率が罹患目標値付近の値になるように制御信号を生成するので、疾病の流行が発生したときに疾病の感染が進行しないようにしながら無駄な消費エネルギーの増加を抑えるように、複数の人が集まる空間に対して環境を提供することができる。
【０１８６】
第３１発明に係る環境提供方法では、疾病情報に基づいて空気清浄が行われるように制御することができるので、疾病の流行が発生したときに疾病の感染が進行しないように、空気清浄能力の強いフィルタを用いて空気清浄を行うことができる。あるいは、空気清浄に用いるフィルタの数を増加させることができる。また、疾病の流行が発生していないときに運用コストを低減できるように、空気清浄能力の弱いフィルタを用いて空気清浄を行うことができる。あるいは、空気清浄に用いるフィルタの数を低減させることができる。このため、運用コストの低減化を図りながら疾病の感染を低減することができる。
【０１８７】
また、疾病が流行したときの疾病の罹患率が所定の目標値付近の値になるように、相関情報に基づいて環境提供装置を制御すれば、疾病の流行が発生したときに、疾病の感染が進行しないように、空気清浄能力の適度に強いフィルタを用いて空気清浄を行うことができる。あるいは、空気清浄に用いるフィルタの数を適度に増加させることができる。この結果、過剰に空気清浄能力を強化することが低減されるので、無駄な運用コストの増加を抑えることができるため、運用コストの低減化を図りながら疾病の感染を低減することができる。
【０１８８】
さらに、疾病が流行したときの疾病の罹患率が罹患目標値付近の値になるように、空間に対する空気清浄能力の制御信号を生成するので、疾病の流行が発生したときに疾病の感染が進行しないようにしながら無駄な消費エネルギーの増加を抑えるように、複数の人が集まる空間に対して環境を提供することができる。
【発明を実施するための最良の形態】
【０１８９】
［第１実施形態］
本発明の第１実施形態に係る環境提供システム１の概念図を図１に示す。また、本発明の第１実施形態に係る環境提供システム１の各構成要素の構成図を図２に示す。ここに示す環境提供システム１は、主として複数の人が集まるビル１０の空間に対して換気を行うためのシステムである。
【０１９０】
＜環境提供システム１の全体構成＞
図１に示すように、この環境提供システム１は、主としてビル１０と遠隔監視センター２０と公的情報機関３０と有線回線５０とインターネット回線６０とを備える。ビル１０と遠隔監視センター２０とは、有線回線５０を経由して通信する。遠隔監視センター２０と公的情報機関３０とは、インターネット回線６０を経由して通信する。
【０１９１】
＜公的情報機関３０の構成＞
図２に示すように、公的情報機関３０は、主として疾病情報データ３１を備える。公的情報機関３０は、疾病情報を収集し、疾病情報を集計し、その結果を疾病情報データ３１として蓄積する。
【０１９２】
＜遠隔監視センター２０＞
図２に示すように、遠隔監視センター２０は、主として制御装置２１を備える。
【０１９３】
制御装置２１は、主として取得部２２と演算部２３と受渡部２４とを備える。取得部２２は、公的情報機関３０の疾病情報データ３１にインターネット回線６０経由でアクセスし、疾病情報を取得する。取得部２２は、疾病情報を演算部２３に渡す。演算部２３は、疾病情報から疾病が対応すべき疾病であるか否かを判断し、疾病が対応すべき疾病であると判断した場合に疾病が流行しているか否かをさらに判断する。疾病が流行していると判断した場合、演算部２３は、疾病情報に基づいて、ビル１０の空間に対する換気量を増加する旨の制御信号を生成する。演算部２３は、ビル１０の空間に対する換気量を増加する旨の制御信号を受渡部２４に渡す。受渡部２４は、ビル１０の空間に対する換気量を増加する旨の制御信号を、ビル１０の空調装置１１に有線回線５０経由で送信する。
【０１９４】
＜ビル１０の構成＞
図２に示すように、ビル１０は、主として空調装置１１を備える。空調装置１１は、ビル１０におけるオフィスやロビーなど複数の人が集まる空間に対して、換気を行う。
【０１９５】
空調装置１１は、主として受取部１２と環境提供部１３とを備える。受取部１２は、有線回線５０経由で遠隔監視センター２０から、ビル１０の空間に対する換気量を増加する旨の制御信号を受け取り、環境提供部１３へ渡す。環境提供部１３は、ビル１０の空間に対する換気量を増加する旨の制御信号に基づいて、換気を行う。
【０１９６】
＜有線回線５０の構成＞
図１，図２に示すように、有線回線５０は、ビル１０と遠隔監視センター２０とを接続する。有線回線５０は、遠隔監視のための専用回線である。
【０１９７】
＜インターネット回線６０の構成＞
図１，図２に示すように、インターネット回線６０は、遠隔監視センター２０と公的情報機関３０とを接続する。インターネット回線６０は、通常のインターネット回線である。
【０１９８】
＜疾病情報データ３１の構成＞
図４に示すように、疾病情報データ３１は、主として病名３１１と死亡率３１２とを備える。病名３１１は、疾病の名称を示している。死亡率３１２は、疾病により死亡に至る率を示している。
【０１９９】
図５に示すように、疾病情報データ３１は、病院名３１３と患者数３１５とさらに備える。病院名３１３は、疾病の報告があった病院の名称を示している。全国の合計を表す場合は、病院名３１３が、「全国」となる。患者数３１５は、疾病にかかった患者の数を示している。なお、図５の病名３１１は、図４の病名３１１と同様である。
【０２００】
＜複数の人が集まるビル１０の空間に対して環境提供システム１により換気が行われる処理の流れ＞
複数の人が集まる図１に示すビル１０の空間に対して環境提供システム１により換気が行われる処理の流れを、図３に示すフローチャートを用いて説明する。
【０２０１】
図３に示すステップＳ１では、図２に示す疾病情報データ３１がアクセスされる。すなわち、遠隔監視センター２０の制御装置２１の取得部２２により、公的情報機関３０の疾病情報データ３１がインターネット回線６０経由でアクセスされる。
【０２０２】
図３に示すステップＳ２では、疾病情報があるか否かが判断される。疾病情報があると判断された場合は、ステップＳ３へ進められ、疾病情報がないと判断された場合は、ステップＳ９へ進められる。
【０２０３】
図３に示すステップＳ３では、疾病情報が取得される。すなわち、図２に示す遠隔監視センター２０の制御装置２１の取得部２２により、公的情報機関３０の疾病情報データ３１から、図４，図５に示す疾病情報が取得される。取得部２２により、疾病情報が演算部２３に渡される。
【０２０４】
図３に示すステップＳ４では、疾病が対応すべき疾病であるか否かが判断される。疾病が対応すべき疾病である、つまり死亡率が所定の割合（例えば、１０％）以上であると判断された場合は、図３に示すステップＳ５へ進められる。疾病が対応すべき疾病でない、つまり死亡率が所定の割合（例えば、１０％）未満であると判断された場合は、ステップＳ９へ進められる。
【０２０５】
図３に示すステップＳ５では、疾病の流行が発生しているか否かが判断される。疾病の流行が発生している、つまり全国の患者数が所定の人数（例えば、１００００名）以上であると判断された場合は、図３に示すステップＳ６へ進められる。疾病の流行が発生していない、つまり全国の患者数が所定の人数（例えば、１００００名）未満であると判断された場合は、ステップＳ９へ進められる。
【０２０６】
図３に示すステップＳ６では、制御信号が生成される。すなわち、図２に示す演算部２３により、疾病情報に基づいて、ビル１０の空間に対する換気量を増加する旨の制御信号が生成される。演算部２３により、ビル１０の空間に対する換気量を増加する旨の制御信号が受渡部２４に渡される。
【０２０７】
図３に示すステップＳ７では、制御信号が送信される。すなわち、図２に示す受渡部２４により、ビル１０の空間に対する換気量を増加する旨の制御信号が、ビル１０の空調装置１１に有線回線５０経由で送信される。
【０２０８】
図３に示すステップＳ８では、図２に示す空調装置１１が制御される。すなわち、ビル１０の空調装置１１の受取部１２により、有線回線５０経由で遠隔監視センター２０から、ビル１０の空間に対する換気量を増加する旨の制御信号が受け取られる。受取部１２により、ビル１０の空間に対する換気量を増加する旨の制御信号が環境提供部１３へ渡される。空調装置１１の環境提供部１３により、ビル１０の空間に対する換気量を増加する旨の制御信号に基づいて、換気が行われる。
【０２０９】
図３に示すステップＳ９では、省エネルギーモードで図２に示す空調装置１１が運転される。すなわち、空調装置１１の環境提供部１３により、省エネルギーモードで換気が行われる。
【０２１０】
＜環境提供システム１に関する特徴＞
（１）
ここでは、図２に示す遠隔監視センター２０の制御装置２１が、公的情報機関３０の疾病情報データ３１から疾病情報を取得し、疾病情報に基づいて、ビル１０の空間に対する換気量を増加する旨の制御信号を生成する。ビル１０の空調装置１１が、遠隔監視センター２０の制御装置２１から、ビル１０の空間に対する換気量を増加する旨の制御信号を受け取る。ビル１０の空調装置１１が、ビル１０の空間に対する換気量を増加する旨の制御信号に基づいて、複数の人が集まるビル１０の空間に対して換気を行う。
【０２１１】
したがって、疾病情報に基づいてビル１０の空調装置１１を制御することができるので、疾病の流行が発生したときに疾病の感染が進行しないように、複数の人が集まるビル１０の空間に対して換気が行われる。また、疾病の流行が発生していないときに省エネルギー化を達成できるように、複数の人が集まるビル１０の空間に対して換気が行われる。このため、省エネルギー化を図りながら疾病の感染が低減される。
【０２１２】
（２）
ここでは、図４，図５に示すように、疾病が、空気感染する疾病である。そのため、複数の人が集まる図１に示すビル１０の空間において、疾病が感染するおそれがある。図２に示す遠隔監視センター２０の制御装置２１が、疾病情報を取得する。遠隔監視センター２０の制御装置２１が、疾病情報に基づいて、ビル１０の空間に対する換気量を増加する旨の制御信号を生成する。ビル１０の空調装置１１が、遠隔監視センター２０の制御装置２１から、ビル１０の空間に対する換気量を増加する旨の制御信号を受け取る。ビル１０の空調装置１１が、ビル１０の空間に対する換気量を増加する旨の制御信号に基づいて、複数の人が集まるビル１０の空間に対して換気を行う。
【０２１３】
したがって、複数の人が集まるビル１０の空間に対して、疾病情報に基づいて制御された換気が行われる。このため、疾病の流行が発生したときに疾病の感染が低減される。
【０２１４】
（３）
ここでは、図５に示すように、疾病情報が、疾病の患者数を含む。図２に示す遠隔監視センター２０の制御装置２１が、疾病情報を取得する。遠隔監視センター２０の制御装置２１が、疾病情報に基づいて、ビル１０の空間に対する換気量を増加する旨の制御信号を生成する。ビル１０の空調装置１１が、遠隔監視センター２０の制御装置２１から、ビル１０の空間に対する換気量を増加する旨の制御信号を受け取る。ビル１０の空調装置１１が、ビル１０の空間に対する換気量を増加する旨の制御信号に基づいて、複数の人が集まるビル１０の空間に対して換気を行う。
【０２１５】
したがって、疾病の患者数が全国で所定の人数（例えば、１００００名）以上である場合に、遠隔監視センター２０の制御装置２１が、疾病の流行が発生したと判断する。このため、疾病の流行の発生が容易に決められる。
【０２１６】
（４）
ここでは、図４に示すように、疾病情報が、疾病による死亡率３１２を含む。図２に示す遠隔監視センター２０の制御装置２１が、疾病情報を取得する。遠隔監視センター２０の制御装置２１が、疾病情報に基づいて、ビル１０の空間に対する換気量を増加する旨の制御信号を生成する。ビル１０の空調装置１１が、遠隔監視センター２０の制御装置２１から、ビル１０の空間に対する換気量を増加する旨の制御信号を受け取る。ビル１０の空調装置１１が、ビル１０の空間に対する換気量を増加する旨の制御信号に基づいて、複数の人が集まるビル１０の空間に対して換気を行う。
【０２１７】
したがって、疾病による死亡率が所定の割合（例えば、１０％）以上である場合に、遠隔監視センター２０の制御装置２１が、対応すべき疾病であると判断する。このため、死亡率の高い疾病にのみ対応するので、省エネルギー化が図られる。
【０２１８】
（５）
ここでは、図２に示す遠隔監視センター２０の制御装置２１が、疾病情報を取得する。遠隔監視センター２０の制御装置２１が、疾病情報に基づいて、ビル１０の空間に対する換気量を増加する旨の制御信号を生成する。ビル１０の空調装置１１が、遠隔監視センター２０の制御装置２１から、ビル１０の空間に対する換気量を増加する旨の制御信号を受け取る。ビル１０の空調装置１１が、ビル１０の空間に対する換気量を増加する旨の制御信号に基づいて、複数の人が集まるビル１０の空間に対して換気を行う。
【０２１９】
したがって、疾病の流行が発生したときに、ビル１０の空調装置１１が、空間に対する換気量を増やして換気する。このため、空間における疾病の病原菌の濃度が低減されるので、疾病が流行したときに疾病の感染が低減される。
【０２２０】
＜第１実施形態の変形例＞
（Ａ）複数の人が集まる図２に示すビル１０の空間に対して換気を行うのは、空調装置１１でなくてもよい。すなわち、換気専用の装置でもよいし、外部から取り入れた外気と循環させる内気との混合割合を調整する装置であってもよいし、自然換気の量を調整する装置であってもよいし、ビル１０の空間を正圧にして換気する装置であってもよいし、ビル１０の空間を負圧にして換気する装置であってもよい。遠隔監視センター２０の制御装置２１とビル１０の空調装置１１とは、有線回線５０により接続されている代わりに、無線回線により接続されていてもよく、有線回線と無線回線とにより接続されていてもよい。空調装置１１により換気されるのは、ビル１０でなくてもよい。すなわち、オフィス、ロビー、電車、飛行機、船、車、住宅、劇場、商店街など複数の人が集まる場所であればどんな場所であってもよい。図４に示す疾病情報データ３１は、死亡率３１２の代わりに、疾病の危険度を含んでいてもよい。図５に示す疾病情報データ３１は、患者数３１５の代わりに、疾病の死亡者数を含んでいてもよい。疾病情報は、公的情報機関３０のかわりに、私的情報機関から取得してもよいし、病院から取得してもよいし、学校から取得してもよい。病院から疾病情報を取得する場合は、リアルタイムで疾病の患者数を把握することができる。学校から疾病情報を取得する場合は、リアルタイムで学級閉鎖の状況を把握することができる。なお、疾病情報は、疾病そのものの情報であり、例えば、花粉情報や気象情報のように疾病に間接的に関連した情報は含まない。
【０２２１】
（Ｂ）制御装置が疾病情報を取得する方法は、ネットワーク６０経由で情報を取得する方法の代わりに、直接的に情報が入力される方法でもよい。すなわち、遠隔監視センター２０における制御装置２１の管理者が、パソコンなどによりインターネット回線６０経由で、公的情報機関３０の疾病情報データ３１にアクセスする。そして、遠隔監視センター２０における制御装置２１の管理者が、公的情報機関３０の疾病情報データ３１の情報をパソコンなどの表示画面で閲覧しながら、制御装置２１へ疾病情報を入力することになる。
【０２２２】
（Ｃ）疾病情報は、図２に示すビル１０の空間の近くにおける疾病の情報でもよい。すなわち、図５に示すように、疾病情報データ３１に、ビル１０の近くにおける病院Ａの患者数の情報が含まれていてもよい。この場合、遠隔監視センター２０の制御装置２１が、疾病情報を取得する。遠隔監視センター２０の制御装置２１が、疾病情報に基づいて、ビル１０の空間に対する換気量を増加する旨の制御信号を生成する。ビル１０の空調装置１１が、遠隔監視センター２０の制御装置２１から、ビル１０の空間に対する換気量を増加する旨の制御信号を受け取る。ビル１０の空調装置１１が、ビル１０の空間に対する換気量を増加する旨の制御信号に基づいて、複数の人が集まるビル１０の空間に対して換気を行う。したがって、ビル１０の空間の近くで局所的に発生している疾病の情報であっても、遠隔監視センター２０の制御装置２１が、疾病の流行が発生したと判断することが可能である。このため、ビル１０の空間の近くで局所的に発生している疾病の流行への対応が迅速に行われる。
【０２２３】
図２に示す遠隔監視センター２０の制御装置２１が取得する疾病情報データ３１には、複数の疾病についての情報が含まれていてもよい。この場合、制御装置２１が、複数の疾病に対して優先順位を決める。例えば、複数の疾病に対して、図４に示す死亡率３１２の高い順番に優先順位がつけられてもよいし、図５に示す患者数３１５の多い順番に優先順位がつけられてもよいし、疾病の危険度の高い順番に優先順位がつけられてもよいし、疾病の罹患率の高い順番に優先順位がつけられてもよい。
【０２２４】
制御装置２１が、疾病情報に優先順位の情報と疾病情報とに基づいて、ビル１０の空間に対する換気量を増加する旨の制御信号を生成する。具体的には、複数の疾病のうち優先順位が最も高いものについてのみ、疾病情報に基づいて、ビル１０の空間に対する換気量を増加する旨の制御信号を生成してもよい。あるいは、複数の疾病のうち優先順位が高い順番に時分割的に、疾病情報に基づいて、ビル１０の空間に対する換気量を増加する旨の制御信号を順次的に生成してもよい。したがって、疾病情報データ３１が複数の疾病についての情報を含む場合でも、効率よく疾病の感染を低減することができる。
【０２２５】
（Ｄ）図２に示す遠隔監視センター２０の制御装置２１が、疾病情報を取得し、疾病情報に基づいてビル１０の空間に対する空気清浄能力を増やす旨の制御信号を生成してもよい。この場合、ビル１０の空調装置１１が、遠隔監視センター２０の制御装置２１から、ビル１０の空間に対する空気清浄能力を増やす旨の制御信号を受け取る。ビル１０の空調装置１１が、ビル１０の空間に対する空気清浄能力を増やす旨の制御信号に基づいて、複数の人が集まるビル１０の空間に対して空気清浄を行う。したがって、疾病の流行が発生したときに、ビル１０の空調装置１１が、ビル１０の空間に対する空気清浄能力を強化して空気清浄する。このため、ビル１０の空間における疾病の病原菌の濃度が低減されるので、疾病が流行したときに疾病の感染が低減される。なお、換気と空気清浄とは同時に行われてもよい。
【０２２６】
（Ｅ）図２に示す遠隔監視センター２０の制御装置２１が、疾病情報を取得し、疾病情報に基づいてビル１０の空間に対する加湿量を増やす旨の制御信号を生成してもよい。この場合、ビル１０の空調装置１１が、遠隔監視センター２０の制御装置２１から、ビル１０の空間に対する加湿量を増やす旨の制御信号を受け取る。ビル１０の空調装置１１が、ビル１０の空間に対する加湿量を増やす旨の制御信号に基づいて、複数の人が集まるビル１０の空間に対して加湿を行う。したがって、湿度に弱い病原菌による疾病の流行が発生したときに、ビル１０の空調装置１１が、ビル１０の空間に対する加湿量を増やして加湿する。このため、空間における疾病の病原菌の濃度が低減されるので、疾病が流行したときに疾病の感染が低減される。但し、加湿量は、ビル管理法（建築物における衛生的環境の確保に関する法律）で示されている４０％〜７０％の範囲の湿度になるように制御されるものとする。なお、換気と空気清浄と加湿とのうち少なくとも２つ以上が、同時に行われてもよい。
【０２２７】
（Ｆ）図２に示す遠隔監視センター２０の制御装置２１が、疾病情報を取得し、疾病情報に基づいてビル１０の空間に対する除湿量を増やす旨の制御信号を生成してもよい。この場合、ビル１０の空調装置１１が、遠隔監視センター２０の制御装置２１から、ビル１０の空間に対する除湿量を増やす旨の制御信号を受け取る。ビル１０の空調装置１１が、ビル１０の空間に対する除湿量を増やす旨の制御信号に基づいて、複数の人が集まるビル１０の空間に対して除湿を行う。したがって、乾燥に弱い病原菌による疾病の流行が発生したときに、ビル１０の空調装置１１が、ビル１０の空間に対する除湿量を増やして除湿する。このため、空間における疾病の病原菌の濃度が低減されるので、疾病が流行したときに疾病の感染が低減される。但し、除湿量は、ビル管理法（建築物における衛生的環境の確保に関する法律）で示されている４０％〜７０％の範囲の湿度になるように制御されるものとする。なお、換気と空気清浄と除湿とのうち少なくとも２つ以上が、同時に行われてもよい。
【０２２８】
（Ｇ）図６に示すように、環境提供システム１ａは、入力装置１６ａと記憶装置２５ａとをさらに備えてもよい。この場合、入力装置１６ａに、空間に存在する複数の人の情報が入力される。例えば、図１６に示すような情報が入力される。図１６では、「（１）疾病の感染？」において、現在疾病に感染しているか否かが入力される。「（２）過去所定期間以内に疾病が流行した地域に行った？」において、最近疾病が流行した地域に行ったかどうかが入力される。ここで、所定期間は、１ヶ月でもいいし、１週間でもいいし、どのような期間でもよい。「（３）家族が疾病に感染？」において、家族に疾病に感染した人がいるか否かが入力される。「（４）症状は？」において、具体的な症状の内容が入力される。図６に示す遠隔管理センター２０ａの制御装置２１の演算部２３が、空間に存在する複数の人の情報を、空調装置１１ａの制御部１４ａと受取部１２と有線回線５０と受渡部２４とを経由して受け取り、申告情報２７ａとして記憶装置２５ａに記憶させる。制御装置２１の演算部２３が、記憶装置２５ａを参照して、申告情報２７ａを取得する。制御装置２１の演算部２３が、申告情報２７ａに基づいて、疾病情報を推定する。制御装置２１の演算部２３が、推定した疾病情報に基づいて制御信号を生成する。疾病情報が、空間の近くにおける疾病の情報である。空調装置１１ａが、制御装置２１から有線回線５０経由で制御信号を受け取る。空調装置１１ａが、制御信号に基づいて、複数の人が集まる空間に対して、換気を行う。したがって、空間に存在する複数の人の情報に基づいて疾病情報を推定するので、空間の近くにおける疾病の情報を推定することができる。このため、空間の近くで局所的に発生している疾病の情報を把握することができる。なお、入力装置１６ａは、空間に存在する複数の人の情報を、空調装置１１ａを経由せずに制御装置２１へ渡してもよい。また、記憶装置は、空調装置１１ａに備えられており、定期的に制御装置２１へ情報が有線回線５０経由で渡されるものであってもよい。
【０２２９】
（Ｈ）図６に示すように、環境提供システム１ａは、症状検知装置１７ａをさらに備えてもよい。この場合、症状検知装置１７ａが、空間に存在する複数の人の症状を検知する。制御装置２１が、空間に存在する複数の人の症状の情報を、空調装置１１ａの制御部１４ａと受取部１２と有線回線５０とを経由して受け取る。制御装置２１が、空間に存在する複数の人の症状に基づいて、疾病情報を推定する。制御装置２１が、疾病情報に基づいて制御信号を生成する。疾病情報は、空間の近くにおける疾病の情報を含む。空調装置１１ａが、制御装置２１から有線回線５０経由で制御信号を受け取る。空調装置１１ａが、制御信号に基づいて、複数の人が集まる空間に対して、換気を行う。したがって、空間に存在する複数の人の症状に基づいて疾病情報を推定するので、空間の近くにおける疾病の情報を推定することができる。このため、空間の近くで局所的に発生している疾病の情報を把握することができる。なお、症状検知装置１７ａは、空間に存在する複数の人の情報を、空調装置１１ａを経由せずに制御装置２１へ渡してもよい。空間に存在する複数の人の症状は、例えば、空間に存在する複数の人が発する咳の音であってもよいし、空間に存在する複数の人の体温であってもよいし、空間に存在する複数の人の顔色であってもよいし、空間に存在する複数の人の脳波であってもよいし、空間に存在する複数の人の心拍に関する情報であってもよいし、どのような症状であってもよい。
【０２３０】
（Ｉ）図６に示すように、環境提供システム１ａは、記憶装置２５ａをさらに備えてもよい。記憶装置２５ａに稼動スケジュール２６ａが記憶されてもよい。この場合、制御装置２１が、稼働スケジュール２６ａの情報を記憶装置２５ａから受け取る。制御装置２１が、疾病情報と稼働スケジュール２６ａとに基づいて制御信号を生成する。空調装置１１ａが、制御装置２１から有線回線５０経由で制御信号を受け取る。空調装置１１ａが、制御信号に基づいて、複数の人が集まる空間に対して、換気を行う。したがって、空調装置１１ａの稼働スケジュール２６ａを記憶するので、空調装置１１ａの換気能力を強くすることを低減する時間帯を設定することが可能である。このため、空調装置１１ａの換気能力を強くした際に発生する室温の変化（室温の上昇又は室温の低下）による弊害を低減することができる。例えば、標準的な勤務時間（例えば、９：００〜１２：００、１３：００〜１７：００）中は、空調装置１１ａの換気能力を強くしない時間帯として稼動スケジュール２６ａを決めておくことができる。あるいは、会議を行う時間帯のみ、空調装置１１ａの換気能力を強くしない時間帯として稼動スケジュール２６ａを決めておくことができる。なお、稼動スケジュール２６ａはあらかじめ記憶装置２５ａに記憶されていてもよい。あるいは、環境提供システム１ａに入力装置１６ａがさらに備えられており、入力装置１６ａを介して稼動スケジュールが入力されてもよい。なお、空調装置１１ａは、加湿する能力を有していてもよい。この場合、空調装置１１ａの稼働スケジュール２６ａを記憶するので、空調装置１１ａの加湿能力を強くすることを低減する時間帯を設定することが可能である。このため、空調装置１１ａの加湿能力を強くした際に発生する不快指数の上昇による弊害を低減することができる。また、空調装置１１ａは、除湿する能力を有していてもよい。この場合、空調装置１１ａの稼働スケジュール２６ａを記憶するので、空調装置１１ａの除湿能力を強くすることを低減する時間帯を設定することが可能である。このため、空調装置１１ａの除湿能力を強くした際に発生する騒音による弊害を低減することができる。
【０２３１】
（Ｊ）図６に示すように、環境提供システム１ａは、記憶装置２５ａをさらに備えてもよい。記憶装置２５ａに相関情報２８ａが記憶されてもよい。ここで、相関情報２８ａは、図７に示すように、制御情報と罹患率情報との相関関係についての情報である。制御情報は、空調装置１１ａの換気量の情報である。罹患率情報は、疾病の罹患率の情報である。図７に示す場合、疾病の流行の度合いが高いとき（例えば、疾病の患者数が全国で１万人以上のとき）の相関関係がグラフ５１で示され、疾病の流行の度合いが中位とき（例えば、疾病の患者数が全国で５千人〜１万人のとき）の相関関係がグラフ５２で示され、疾病の流行の度合いが低いとき（例えば、疾病の患者数が全国で５千人未満のとき）の相関関係がグラフ５３で示される。疾病の罹患率に関する目標値である罹患目標値がＲｄで示されている。図７では、疾病の罹患率がＲｕ〜Ｒｂの範囲の値になったときに疾病の罹患率が罹患目標値Ｒｄ付近の値になったと判断される。疾病の流行の度合いが高いとき、図７のグラフ５１が参照されることにより、疾病の罹患率が罹患目標値Ｒｄ付近の値になるようにするには換気量をＫｄ１付近の値になるようにすればよいことが分かる。すなわち、換気量がＫｕ１〜Ｋｂ１の範囲の値になるようにすれば、疾病の罹患率が罹患目標値Ｒｄ付近の値になることが分かる。疾病の流行の度合いが低いとき、図７のグラフ５３が参照されることにより、疾病の罹患率が罹患目標値Ｒｄ付近の値になるようにするには、換気量をＫｄ３付近の値になるようにすればよいことが分かる。すなわち、換気量がＫｕ３〜Ｋｂ３の範囲の値になるようにすれば、疾病の罹患率が罹患目標値Ｒｄ付近の値になることが分かる。
【０２３２】
この場合、疾病情報が、流行度情報を含む。ここで、流行度情報は、疾病の流行の度合いを示す情報である。図２に示す遠隔監視センター２０の制御装置２１が、流行度情報を取得する。制御装置が、疾病が流行したときの疾病の罹患率が罹患目標値Ｒｄ付近の値になるように、流行度情報と相関情報とに基づいて制御信号を生成する。例えば、疾病の流行の度合いが高いことを流行度情報が示している場合、図７に示すグラフ５１が参照されて、換気量がＫｕ１〜Ｋｂ１の範囲の値になるべきであると判断され、Ｋｕ１〜Ｋｂ１の範囲の値に換気量を増加する旨の制御信号が生成される。例えば、疾病の流行の度合いが低いことを流行度情報が示している場合、図７に示すグラフ５３が参照されて、換気量がＫｕ３〜Ｋｂ３の範囲の値になるべきであると判断され、Ｋｕ３〜Ｋｂ３の範囲の値に換気量を増加する旨の制御信号が生成される。疾病が流行していると判断された場合、ビル１０の空調装置１１が、制御装置２１から、ビル１０の空間に対する換気量を増加する旨の制御信号を受け取る。ビル１０の空調装置１１が、ビル１０の空間に対する換気量を増加する旨の制御信号に基づいて、ビル１０の空間に対して換気を行う。したがって、流行度情報と相関情報とに基づいて制御信号を生成するので、疾病の罹患率が疾病の流行度合いに応じて変わる場合でも、疾病の罹患率が罹患目標値Ｒｄ付近の値（Ｒｕ〜Ｒｂの範囲の値）になるように制御信号を生成することができる。また、疾病が流行したときの疾病の罹患率が罹患目標値Ｒｄ付近の値（Ｒｕ〜Ｒｂの範囲の値）になるように制御信号を生成するので、疾病の流行が発生したときに疾病の感染が進行しないようにしながら無駄な消費エネルギーの増加を抑えるように、ビル１０の空間に対して換気を行うことができる。このため、省エネルギー化を図りながら疾病の感染を低減することができる。
【０２３３】
なお、制御装置２１は、疾病が流行したときの疾病の罹患率が罹患目標値Ｒｄ付近の値になるように、相関情報２８ａのみに基づいて（流行度情報は考慮せずに）、ビル１０の空間に対する換気量を増加する旨の制御信号を生成してもよい。このとき、図６に示す相関情報２８ａには、疾病の流行の度合いが中位とき（例えば、疾病の患者数が全国で５千人〜１万人のとき）の相関関係のみが記憶されていてもよい。すなわち、図７に示すグラフ５２のみが相関情報２８ａに記憶されていてもよい。この場合でも、疾病が流行したときの疾病の罹患率が罹患目標値Ｒｄ付近の値になるように制御信号を生成するので、疾病の流行が発生したときに疾病の感染が進行しないようにしながら無駄な消費エネルギーの増加を抑えるように、ビル１０の空間に対して換気を行うことができる。
【０２３４】
また、罹患率情報（図７に示すグラフの縦軸）は、疾病の罹患率、疾病の罹患による生産性の低下率、疾病の罹患により発生する損害額（生産性の低下による逸失利益）、疾病の罹患により発生する医療費の増加率及び疾病の罹患により発生する医療費の増加額の少なくとも１つに関する情報を含んでいてもよい。この場合、罹患率情報を詳細な情報とすることができるので、図６に示す相関情報２８ａに基づいて空調装置１１を詳細に制御することができる。また、流行度情報は、全国における疾病の患者数であってもよいし、全国の人口に対する疾病の感染率であってもよいし、全国における疾病の患者数に疾病の死亡率を掛け合わせたものであってもよいし、疾病の流行の度合いを示す情報であればどのような情報であってもよい。
【０２３５】
さらに、罹患目標値Ｒｄは、遠隔監視センター２０においてあらかじめ設定されたものであってもよいし、疾病の罹患率（又は生産性の低下率など）と消費エネルギー量とのトレードオフにより演算部２３であらかじめ決められたものであってもよい。例えば、疾病の罹患率（又は生産性の低下率など）と消費エネルギー量とを掛け合わせた値が最小になるときの疾病の罹患率（又は生産性の低下率など）が罹患目標値Ｒｄとされてもよい。
【０２３６】
（Ｋ）第１実施形態の変形例（Ｊ）において、制御装置２１は、疾病が流行したときの疾病の罹患率が罹患目標値Ｒｄ付近の値になるように、相関情報２８ａに基づいて、ビル１０の空間に対する空気清浄能力を増やす旨の制御信号を生成してもよい。この場合、疾病が流行したときの疾病の罹患率が罹患目標値Ｒｄ付近の値になるように制御信号を生成するので、疾病の流行が発生したときに、ビル１０の空調装置１１が、ビル１０の空間に対する空気清浄能力を適度に強化して空気清浄することができる。このため、ビル１０の空間における疾病の病原菌の濃度を低減することができるので、疾病が流行したときに疾病の感染を低減することができる。また、過剰に空気清浄能力を強化することが低減されるので、無駄な消費エネルギーの増加を抑えることができる。この結果、省エネルギー化を図りながら疾病の感染を低減することができる。なお、相関情報２８ａは、図７と同様の情報であるが、横軸が空調装置１１ａの換気量でなく空調装置１１ａの空気清浄能力を示すものになる点で第１実施形態の変形例（Ｊ）と異なる。
【０２３７】
第１実施形態の変形例（Ｊ）において、制御装置２１は、疾病が流行したときの疾病の罹患率が罹患目標値Ｒｄ付近の値になるように、相関情報２８ａに基づいて、ビル１０の空間に対する加湿量を増やす旨の制御信号を生成してもよい。この場合、疾病が流行したときの疾病の罹患率が罹患目標値Ｒｄ付近の値になるように制御信号を生成するので、湿度に弱い病原菌による疾病の流行が発生したときに、ビル１０の空調装置１１が、ビル１０の空間に対する加湿量を適度に増やして加湿することができる。このため、ビル１０の空間における疾病の病原菌の濃度を低減することができるので、疾病が流行したときに疾病の感染を低減することができる。また、過剰に加湿量を増やすことが低減されるので、無駄な消費エネルギーの増加を抑えることができる。この結果、省エネルギー化を図りながら疾病の感染を低減することができる。なお、相関情報２８ａは、図７と同様の情報であるが、横軸が空調装置１１ａの換気量でなく空調装置１１ａの加湿量を示すものになる点で第１実施形態の変形例（Ｊ）と異なる。
【０２３８】
第１実施形態の変形例（Ｊ）において、制御装置２１は、疾病が流行したときの疾病の罹患率が罹患目標値Ｒｄ付近の値になるように、相関情報２８ａに基づいて、ビル１０の空間に対する除湿量を増やす旨の制御信号を生成してもよい。この場合、疾病が流行したときの疾病の罹患率が罹患目標値Ｒｄ付近の値になるように制御信号を生成するので、乾燥に弱い病原菌による疾病の流行が発生したときに、ビル１０の空調装置１１が、ビル１０の空間に対する除湿量を適度に増やして除湿することができる。このため、ビル１０の空間における疾病の病原菌の濃度を低減することができるので、疾病が流行したときに疾病の感染を低減することができる。また、過剰に除湿量を増やすことが低減されるので、無駄な消費エネルギーの増加を抑えることができる。この結果、省エネルギー化を図りながら疾病の感染を低減することができる。なお、相関情報２８ａは、図７と同様の情報であるが、横軸が空調装置１１ａの換気量でなく空調装置１１ａの除湿量を示すものになる点で第１実施形態の変形例（Ｊ）と異なる。
【０２３９】
（Ｌ）図６に示すように、環境提供システム１ａは、存在検知装置１５ａをさらに備えてもよい。この場合、存在検知装置１５ａが、人の存在を検知する。制御装置２１が、人の存在の情報を、空調装置１１ａの制御部１４ａと受取部１２と有線回線５０とを介して受け取る。制御装置２１が、疾病情報と人の存在の情報とに基づいて制御信号を生成する。空調装置１１ａが、制御装置２１から有線回線５０を経由して制御信号を受け取る。空調装置１１ａが、制御信号に基づいて、複数の人が集まる空間に対して、換気を行う。したがって、人の存在を検知するので、人が不在の場合に空調装置１１ａの換気能力を無駄に強くすることを低減することができる。このため、省エネルギー化を図ることができる。なお、存在検知装置１５ａは、空間に存在する複数の人の情報を、空調装置１１ａを経由せずに制御装置２１へ渡してもよい。
【０２４０】
（Ｍ）図２に示す空調装置１１の環境提供部１３は、ビル１０の空間に対して温熱環境を提供してもよい。この場合、図３に示すステップＳ９において、ビル１０の空間に対して人間の体感温度が省エネルギーになる範囲内で適温になるように制御される。図３に示すステップＳ６において、ビル１０の空間に対する換気量を増加する旨の制御信号に基づいて、ビル１０の空間に対する加熱量又は冷却量の制御信号が生成される。具体的には、ビル１０の空間に対する換気量とビル１０の空間に対する加熱量又は冷却量と人間の体感温度との相関関係の情報があらかじめ遠隔監視センター２０に記憶されている。遠隔監視センター２０の演算部２３により、その相関関係の情報が参照され、ビル１０の空間に対する換気量を増加する旨の制御信号に基づいて、人間の体感温度が適温になるように、ビル１０の空間に対する加熱量又は冷却量の制御信号が生成される。図３に示すステップＳ７において、図２に示す受渡部２４により、ビル１０の空間に対する換気量を増加する旨の制御信号とビル１０の空間に対する加熱量又は冷却量の制御信号とが、ビル１０の空調装置１１に有線回線５０経由で送信される。したがって、省エネルギー化を図りながら疾病の感染が低減されるとともに温熱環境の快適性を維持することができる。
【０２４１】
上記変形例（Ｄ）において、図２に示す空調装置１１の環境提供部１３は、ビル１０の空間に対して温熱環境を提供してもよい。この場合、図３に示すステップＳ９において、ビル１０の空間に対して人間の体感温度が省エネルギーになる範囲内で適温になるように制御される。図３に示すステップＳ６において、ビル１０の空間に対する空気清浄能力を増やす旨の制御信号に基づいて、ビル１０の空間に対する加熱量又は冷却量の制御信号が生成される。具体的には、ビル１０の空間に対する空気清浄能力とビル１０の空間に対する加熱量又は冷却量と人間の体感温度との相関関係の情報があらかじめ遠隔監視センター２０に記憶されている。遠隔監視センター２０の演算部２３により、その相関関係の情報が参照され、ビル１０の空間に対する空気清浄能力を増やす旨の制御信号に基づいて、人間の体感温度が適温になるように、ビル１０の空間に対する加熱量又は冷却量の制御信号が生成される。図３に示すステップＳ７において、図２に示す受渡部２４により、ビル１０の空間に対する空気清浄能力を増やす旨の制御信号とビル１０の空間に対する加熱量又は冷却量の制御信号とが、ビル１０の空調装置１１に有線回線５０経由で送信される。したがって、省エネルギー化を図りながら疾病の感染が低減されるとともに温熱環境の快適性を維持することができる。
【０２４２】
上記変形例（Ｅ）において、図２に示す空調装置１１の環境提供部１３は、ビル１０の空間に対して温熱環境を提供してもよい。この場合、図３に示すステップＳ９において、ビル１０の空間に対して人間の体感温度が省エネルギーになる範囲内で適温になるように制御される。図３に示すステップＳ６において、ビル１０の空間に対する加湿量を増やす旨の制御信号に基づいて、ビル１０の空間に対する加熱量又は冷却量の制御信号が生成される。具体的には、ビル１０の空間に対する加湿量とビル１０の空間に対する加熱量又は冷却量と人間の体感温度との相関関係の情報があらかじめ遠隔監視センター２０に記憶されている。遠隔監視センター２０の演算部２３により、その相関関係の情報が参照され、ビル１０の空間に対する加湿量を増やす旨の制御信号に基づいて、人間の体感温度が適温になるように、ビル１０の空間に対する加熱量又は冷却量の制御信号が生成される。図３に示すステップＳ７において、図２に示す受渡部２４により、ビル１０の空間に対する加湿量を増やす旨の制御信号とビル１０の空間に対する加熱量又は冷却量の制御信号とが、ビル１０の空調装置１１に有線回線５０経由で送信される。したがって、省エネルギー化を図りながら疾病の感染が低減されるとともに温熱環境の快適性を維持することができる。
【０２４３】
上記変形例（Ｆ）において、図２に示す空調装置１１の環境提供部１３は、ビル１０の空間に対して温熱環境を提供してもよい。この場合、図３に示すステップＳ９において、ビル１０の空間に対して人間の体感温度が省エネルギーになる範囲内で適温になるように制御される。図３に示すステップＳ６において、ビル１０の空間に対する除湿量を増やす旨の制御信号に基づいて、ビル１０の空間に対する加熱量又は冷却量の制御信号が生成される。具体的には、ビル１０の空間に対する除湿量とビル１０の空間に対する加熱量又は冷却量と人間の体感温度との相関関係の情報があらかじめ遠隔監視センター２０に記憶されている。遠隔監視センター２０の演算部２３により、その相関関係の情報が参照され、ビル１０の空間に対する除湿量を増やす旨の制御信号に基づいて、人間の体感温度が適温になるように、ビル１０の空間に対する加熱量又は冷却量の制御信号が生成される。図３に示すステップＳ７において、図２に示す受渡部２４により、ビル１０の空間に対する除湿量を増やす旨の制御信号とビル１０の空間に対する加熱量又は冷却量の制御信号とが、ビル１０の空調装置１１に有線回線５０経由で送信される。したがって、省エネルギー化を図りながら疾病の感染が低減されるとともに温熱環境の快適性を維持することができる。
【０２４４】
［第２実施形態］
本発明の第２実施形態に係る環境提供システム１００を図８に示す。また、環境提供システム１００の各構成要素の構成図を図９に示す。図８，図９において、図１，図２の環境提供システム１の構成要素と同様の構成要素は同じ番号で示してある。ここに示す環境提供システム１００は、主として複数の人が集まるビル１１０の空間に対して換気を行うためのシステムである。
【０２４５】
この環境提供システム１００は、図８，図９に示すように、基本的な構造は第１実施形態と同様であり各構成要素は図２と同様であるが、遠隔監視センター２０と有線回線５０とが備えられていない点で構成が異なる。すなわち、図９に示すように、ビル１１０の空調装置１１１は、制御装置１２１をさらに備える。ビル１１０の空間に対する換気量を増加する旨の制御信号は、空調装置１１１の内部配線を経由して、制御装置１２１の受渡部１２４から空調装置１１１の受取部１１２へ渡される点で、第１実施形態と異なる。
【０２４６】
疾病情報に基づいてビル１１０の空調装置１１１を制御するので、疾病の流行が発生したときに疾病の感染が進行しないように、複数の人が集まるビル１１０の空間に対して換気が行われる点は、第１実施形態と同様である。また、疾病の流行が発生していないときに省エネルギー化を達成できるように、複数の人が集まるビル１１０の空間に対して換気が行われる点も、第１実施形態と同様である。したがって、このような環境提供システム１００によっても、省エネルギー化を図りながら疾病の感染が低減される。
【０２４７】
＜第２実施形態の変形例＞
（Ａ）制御装置１２１は、空調装置１１１と別に構成されていてもよい。この場合、制御装置１２１の受渡部１２４と空調装置１１１の受取部１１２とは、ビル１１０におけるＬＡＮ回線で接続されることになる。
【０２４８】
（Ｂ）制御装置１２１には、図６に示す記憶装置２５ａと同様の記憶装置が接続されていてもよい。記憶装置には、図６と同様に、稼働スケジュールや申告情報や相関情報が記憶されていてもよい。
【０２４９】
［第３実施形態］
本発明の第３実施形態に係る空気清浄システム２００の概念図を図１０に示す。また、本発明の第３実施形態に係る空気清浄システム２００の各構成要素の構成図を図１１に示す。ここに示す空気清浄システム２００は、主として複数の人が集まるビル２１０の空間に対して空気清浄を行うためのシステムである。
【０２５０】
＜空気清浄システム２００の全体構成＞
図１０に示すように、この空気清浄システム２００は、主としてビル２１０と遠隔監視センター２２０と公的情報機関３０と有線回線５０とインターネット回線６０とを備える。ビル２１０と遠隔監視センター２２０とは、有線回線５０を経由して通信する。遠隔監視センター２２０と公的情報機関３０とは、インターネット回線６０を経由して通信する。
【０２５１】
＜公的情報機関３０の構成＞
図１１に示すように、公的情報機関３０は、主として疾病情報データ３１を備える。公的情報機関３０は、疾病情報を収集し、疾病情報を集計し、その結果を疾病情報データ３１として蓄積する。
【０２５２】
＜遠隔監視センター２２０＞
図１１に示すように、遠隔監視センター２２０は、主として制御装置２１を備える。
【０２５３】
制御装置２１は、主として取得部２２と演算部２３と受渡部２４とを備える。取得部２２は、公的情報機関３０の疾病情報データ３１にインターネット回線６０経由でアクセスし、疾病情報を取得する。取得部２２は、疾病情報を演算部２３に渡す。演算部２３は、疾病情報から疾病が対応すべき疾病であるか否かを判断し、疾病が対応すべき疾病であると判断した場合に疾病が流行しているか否かをさらに判断する。疾病が流行していると判断した場合、演算部２３は、疾病情報に基づいて、ビル２１０の空間に対する空気清浄能力を強める旨の制御信号を生成する。演算部２３は、ビル２１０の空間に対する空気清浄能力を強める旨の制御信号を受渡部２４に渡す。受渡部２４は、ビル２１０の空間に対する空気清浄能力を強める旨の制御信号を、ビル２１０の空気清浄装置２４０に有線回線５０経由で送信する。
【０２５４】
＜ビル２１０の構成＞
図１１に示すように、ビル２１０は、主として空気清浄装置２４０を備える。空気清浄装置２４０は、ビル２１０におけるオフィスやロビーなど複数の人が集まる空間に対して、空気清浄を行う。
【０２５５】
空気清浄装置２４０は、主として受取部２４１と制御部２４２と環境提供部２５４とを備える。受取部２４１は、有線回線５０経由で遠隔監視センター２２０から、ビル２１０の空間に対する空気清浄能力を強める旨の制御信号を受け取り、制御部２４２へ渡す。制御部２４２は、ビル２１０の空間に対する空気清浄能力を強める旨の制御信号を環境提供部２５４へ渡す。環境提供部２５４は、制御信号に基づいて、複数の人が集まる空間に対して、複数のフィルタを用いて空気清浄を行う。
【０２５６】
＜有線回線５０の構成＞
図１０，図１１に示すように、有線回線５０は、ビル２１０と遠隔監視センター２２０とを接続する。有線回線５０は、遠隔監視のための専用回線である。
【０２５７】
＜インターネット回線６０の構成＞
図１０，図１１に示すように、インターネット回線６０は、遠隔監視センター２２０と公的情報機関３０とを接続する。インターネット回線６０は、通常のインターネット回線である。
【０２５８】
＜環境提供部２５４の構成＞
図１１に示す環境提供部２５４は、図１２に示すように、主として吸い込み口２４３，吸入路２４４，第１通風路２４５，第２通風路２４６，第１フィルタ２４７，第２フィルタ２４８，風路切換部２４９，第１吹き出し口２５１，第２吹き出し口２５２及びファン２５３を備える。ここでは、第１空気清浄部２５５が第１フィルタ２４７を含む。第２空気清浄部２５６が第２フィルタ２４８を含む。
【０２５９】
図１２に示すファン２５３と風路切換部２４９とが、制御装置２１（図１１参照）から、有線回線５０（図１１参照）と受取部２４１（図１１参照）と制御部２４２（図１１参照）とを経由して制御信号を受け取る。ファン２５３が、制御信号に基づいて稼働する。その結果、吸入路２４４に、吸い込み口２４３を介して吸入された空気が送り込まれる。風路切換部２４９が、制御信号に基づいて、第１状態（空気清浄能力を強める状態であり破線の状態）と第２状態（通常の状態であり実線の状態）とを切り換える。第１通風路２４５が、空気を第１フィルタ２４７へ導く。これにより、第１状態（空気清浄能力を強める状態であり破線の状態）において、空気を吸入路２４４から第１通風路２４５を介して第１フィルタ２４７へ導く。そして、第１フィルタ２４７で空気清浄された空気は、第１吹き出し口２５１を介して、複数の人が集まるビル２１０の空間に吹き出される。第２通風路２４６が、空気を第２フィルタ２４８へ導く。これにより、第２状態（通常の状態であり実線の状態）において、空気を吸入路２４４から第２通風路２４６を介して第２フィルタ２４８へ導く。そして、第２フィルタ２４８で空気清浄された空気は、第２吹き出し口２５２を介して、複数の人が集まるビル２１０の空間に吹き出される。ここで、第１フィルタ２４７の空気清浄能力が、第２フィルタ２４８の空気清浄能力よりも強い。
【０２６０】
＜疾病情報データ３１の構成＞
図４に示すように、疾病情報データ３１は、主として病名３１１と死亡率３１２とを備える。病名３１１は、疾病の名称を示している。死亡率３１２は、疾病により死亡に至る率を示している。
【０２６１】
図５に示すように、疾病情報データ３１は、病院名３１３と患者数３１５とさらに備える。病院名３１３は、疾病の報告があった病院の名称を示している。全国の合計を表す場合は、病院名３１３が、「全国」となる。患者数３１５は、疾病にかかった患者の数を示している。なお、図４の病名３１１は、図４の病名３１１と同様である。
【０２６２】
＜複数の人が集まるビル２１０の空間に対して空気清浄システム２００により空気清浄が行われる処理の流れ＞
複数の人が集まる図１０に示すビル２１０の空間に対して空気清浄システム２００により空気清浄が行われる処理の流れを、図１３に示すフローチャートを用いて説明する。
【０２６３】
図１３に示すステップＳ１では、図１１に示す疾病情報データ３１がアクセスされる。すなわち、遠隔監視センター２２０の制御装置２１の取得部２２により、公的情報機関３０の疾病情報データ３１がインターネット回線６０経由でアクセスされる。
【０２６４】
図１３に示すステップＳ２では、疾病情報があるか否かが判断される。疾病情報があると判断された場合は、ステップＳ３へ進められ、疾病情報がないと判断された場合は、ステップＳ１４へ進められる。
【０２６５】
図１３に示すステップＳ３では、疾病情報が取得される。すなわち、図１１に示す遠隔監視センター２２０の制御装置２１の取得部２２により、公的情報機関３０の疾病情報データ３１から、図４，図５に示す疾病情報が取得される。取得部２２により、疾病情報が演算部２３に渡される。
【０２６６】
図１３に示すステップＳ４では、疾病が対応すべき疾病であるか否かが判断される。疾病が対応すべき疾病である、つまり死亡率が所定の割合（例えば、１０％）以上であると判断された場合は、図１３に示すステップＳ５へ進められる。疾病が対応すべき疾病でない、つまり死亡率が所定の割合（例えば、１０％）未満であると判断された場合は、ステップＳ１４へ進められる。
【０２６７】
図１３に示すステップＳ５では、疾病の流行が発生しているか否かが判断される。疾病の流行が発生している、つまり全国の患者数が所定の人数（例えば、１００００名）以上であると判断された場合は、図１３に示すステップＳ１１へ進められる。疾病の流行が発生していない、つまり全国の患者数が所定の人数（例えば、１００００名）未満であると判断された場合は、ステップＳ１４へ進められる。
【０２６８】
図１３に示すステップＳ１１では、制御信号が生成される。すなわち、図１１に示す演算部２３により、疾病情報に基づいて、ビル２１０の空間に対する空気清浄能力を強める旨の制御信号が生成される。演算部２３により、ビル２１０の空間に対する空気清浄能力を強める旨の制御信号が受渡部２４に渡される。
【０２６９】
図１３に示すステップＳ１２では、制御信号が送信される。すなわち、図１１に示す受渡部２４により、ビル２１０の空間に対する空気清浄能力を強める旨の制御信号が、ビル２１０の空気清浄装置２４０に有線回線５０経由で送信される。
【０２７０】
図１３に示すステップＳ１３では、図１２に示す第１フィルタ２４７を用いて空気清浄が行われる。すなわち、ビル２１０の空気清浄装置２４０の受取部２４１により、有線回線５０経由で遠隔監視センター２２０から、ビル２１０の空間に対する空気清浄能力を強める旨の制御信号が受け取られる。受取部２４１により、ビル２１０の空間に対する空気清浄能力を強める旨の制御信号が制御部２４２経由で環境提供部２５４へ渡される。環境提供部２５４により、ビル２１０の空間に対する空気清浄能力を強める旨の制御信号に基づいて、図１２に示す風路切換部２４９が第１状態の方向に切り換えられ、第１フィルタ２４７を用いて空気清浄が行われる。
【０２７１】
図１３に示すステップＳ１４では、図１２に示す第２フィルタ２４８を用いて空気清浄が行われる。すなわち、図１１に示す環境提供部２５４により、図１２に示す風路切換部２４９が第２状態の方向に切り換えられ、第２フィルタ２４８を用いて空気清浄が行われる。
【０２７２】
＜空気清浄システム２００に関する特徴＞
（１）
ここでは、図１１に示す遠隔管理センター２２０の制御装置２１が、疾病情報に基づいて制御信号を生成する。空気清浄装置２４０が、有線回線５０経由で遠隔監視センター２２０の制御装置２１から、ビル２１０の空間に対する空気清浄能力を強める旨の制御信号を受け取る。空気清浄装置２４０が、制御信号に基づいて、複数の人が集まる空間に対して、複数のフィルタ（図１２に示す第１フィルタ２４７及び第２フィルタ２４８）を用いて空気清浄を行う。
【０２７３】
したがって、疾病情報に基づいて空気清浄装置２４０を制御するので、疾病の流行が発生したときに疾病の感染が進行しないように、空気清浄能力の強いフィルタ（図１２に示す第１フィルタ２４７）を用いて空気清浄を行うことが可能である。また、疾病の流行が発生していないときに運用コストを低減できるように、空気清浄能力の弱いフィルタ（図１２に示す第２フィルタ２４８）を用いて空気清浄を行うことが可能である。このため、運用コストの低減化を図りながら疾病の感染を低減することが可能である。
【０２７４】
（２）
ここでは、図１１に示す遠隔管理センター２２０の制御装置２１が、疾病情報に基づいて制御信号を生成する。空気清浄装置２４０が、有線回線５０経由で遠隔監視センター２２０の制御装置２１から、ビル２１０の空間に対する空気清浄能力を強める旨の制御信号を受け取る。空気清浄装置２４０が、制御信号に基づいて、複数の人が集まる空間に対して、複数のフィルタ（図１２に示す第１フィルタ２４７及び第２フィルタ２４８）を用いて空気清浄を行う。複数のフィルタが、第１フィルタ２４７（図１２参照）と第２フィルタ２４８（図１２参照）とを含む。第１フィルタ２４７（図１２参照）の空気清浄能力が、第２フィルタ２４８（図１２参照）の空気清浄能力よりも強い。
【０２７５】
したがって、第１フィルタ２４７（図１２参照）の空気清浄能力が第２フィルタ２４８（図１２参照）の空気清浄能力よりも強いので、第２フィルタ２４８（図１２参照）の運用コストが第１フィルタ２４７（図１２参照）の運用コストよりも低いことが多くなる。このため、疾病の流行が発生していないときに運用コストを低減できるように、第２フィルタ２４８（図１２参照）を用いて空気清浄を行うことが可能である。また、疾病の流行が発生したときに疾病の感染が進行しないように、第１フィルタ２４７（図１２参照）を用いて空気清浄を行うことが可能である。この結果、運用コストの低減化を図りながら疾病の感染を低減することが可能である。
【０２７６】
（３）
ここでは、図１１に示す遠隔管理センター２２０の制御装置２１が、疾病情報に基づいて制御信号を生成する。図１２に示す空気清浄装置２４０の風路切換部２４９が、制御装置２１（図１１参照）から、有線回線５０（図１１参照）と受取部２４１（図１１参照）と制御部２４２（図１１参照）とを経由して制御信号を受け取る。空気清浄装置２４０の吸入路２４４に、吸入された空気が送り込まれる。空気清浄装置２４０の風路切換部２４９が、制御信号に基づいて、第１状態（空気清浄能力を強める状態であり破線の状態）と第２状態（通常の状態であり実線の状態）とを切り換える。第１通風路２４５が、空気を第１フィルタ２４７へ導く。これにより、第１状態（空気清浄能力を強める状態であり破線の状態）において、空気を吸入路２４４から第１通風路２４５を介して第１フィルタ２４７へ導く。第２通風路２４６が、空気を第２フィルタ２４８へ導く。これにより、第２状態（通常の状態であり実線の状態）において、空気を吸入路２４４から第２通風路２４６を介して第２フィルタ２４８へ導く。ここで、第１フィルタ２４７の空気清浄能力が、第２フィルタ２４８の空気清浄能力よりも強い。
【０２７７】
したがって、疾病情報に基づいて第１状態（空気清浄能力を強める状態であり破線の状態）と第２状態（通常の状態であり実線の状態）とを切り換えるので、疾病の流行が発生したときに疾病の感染が進行しないように、第１フィルタ２４７を用いて空気清浄を行うことが可能である。また、疾病の流行が発生していないときに運用コストを低減できるように、第２フィルタ２４８を用いて空気清浄を行うことが可能である。
【０２７８】
（４）
ここでは、図１１に示す遠隔管理センター２２０の制御装置２１が、疾病情報を外部から取得する。制御装置２１が、疾病情報に基づいて制御信号を生成する。空気清浄装置２４０が、制御装置２１から制御信号を有線回線５０経由で受け取る。空気清浄装置２４０が、制御信号に基づいて、複数の人が集まる空間に対して、複数のフィルタ（図１２に示す第１フィルタ２４７及び第２フィルタ２４８）を用いて空気清浄を行う。
【０２７９】
したがって、疾病情報を外部から取得するので、疾病情報に基づいて制御信号を生成することが可能である。
【０２８０】
＜第３実施形態の変形例＞
（Ａ）遠隔監視センター２２０の制御装置２１とビル２１０の空気清浄装置２４０とは、有線回線５０により接続される代わりに、無線回線により接続されていてもよく、有線回線と無線回線とにより接続されていてもよい。空気清浄装置２４０により空気清浄されるのは、ビル２１０でなくてもよい。すなわち、オフィス、ロビー、電車、飛行機、船、車、住宅、劇場、商店街など複数の人が集まる場所であればどんな場所であってもよい。図４に示す疾病情報データ３１は、死亡率３１２の代わりに、疾病の危険度を含んでいてもよい。図５に示す疾病情報データ３１は、患者数３１５の代わりに、疾病の死亡者数を含んでいてもよい。疾病情報は、公的情報機関３０のかわりに、私的情報機関から取得してもよいし、病院から取得してもよいし、学校から取得してもよい。病院から疾病情報を取得する場合は、リアルタイムで疾病の患者数を把握することができる。学校から疾病情報を取得する場合は、リアルタイムで学級閉鎖の状況を把握することができる。なお、疾病情報は、疾病そのものの情報であり、例えば、花粉情報や気象情報のように疾病に間接的に関連した情報は含まない。
【０２８１】
（Ｂ）図１１に示す制御装置２１が疾病情報を取得する方法は、ネットワーク６０経由で情報を取得する方法の代わりに、直接的に情報が入力される方法でもよい。すなわち、遠隔監視センター２２０における制御装置２１の管理者が、パソコンなどによりインターネット回線６０経由で、公的情報機関３０の疾病情報データ３１にアクセスする。そして、遠隔監視センター２２０における制御装置２１の管理者が、公的情報機関３０の疾病情報データ３１の情報をパソコンなどの表示画面で閲覧しながら、制御装置２１へ疾病情報を入力することになる。
【０２８２】
（Ｃ）疾病情報は、図１１に示すビル２１０の空間の近くにおける疾病の情報でもよい。すなわち、図４に示すように、疾病情報データ３１に、ビル２１０の近くにおける病院Ａの患者数の情報が含まれていてもよい。この場合、遠隔監視センター２２０の制御装置２１が、疾病情報を取得する。遠隔監視センター２２０の制御装置２１が、疾病情報に基づいて、疾病が流行していると判断される場合に、ビル２１０の空間に対する空気清浄能力を強める旨の制御信号を生成する。ビル２１０の空気清浄装置２４０が、遠隔監視センター２２０の制御装置２１から、ビル２１０の空間に対する空気清浄能力を強める旨の制御信号を受け取る。ビル２１０の空気清浄装置２４０が、ビル２１０の空間に対する空気清浄能力を強める旨の制御信号に基づいて、複数の人が集まるビル２１０の空間に対して空気清浄を行う。したがって、ビル２１０の空間の近くで局所的に発生している疾病の情報であっても、遠隔監視センター２２０の制御装置２１が、疾病の流行が発生したと判断することが可能である。このため、ビル２１０の空間の近くで局所的に発生している疾病の流行への対応が迅速に行われる。また、大局的に疾病が発生しているが局所的に疾病が発生していないような場合に、空気清浄装置２４０の空気清浄能力が無駄に強くされることが低減されるので、省エネルギー化を図ることができる。
【０２８３】
（Ｄ）図１１に示すように、空気清浄システム２００は、入力装置２１６と記憶装置２２５とをさらに備えてもよい。この場合、入力装置２１６に、空間に存在する複数の人の情報が入力される。例えば、図１６に示すような情報が入力される。図１６では、「（１）疾病の感染？」において、現在疾病に感染しているか否かが入力される。「（２）過去所定期間以内に疾病が流行した地域に行った？」において、最近疾病が流行した地域に行ったかどうかが入力される。ここで、所定期間は、１ヶ月でもいいし、１週間でもいいし、どのような期間でもよい。「（３）家族が疾病に感染？」において、家族に疾病に感染した人がいるか否かが入力される。「（４）症状は？」において、具体的な症状の内容が入力される。図１１に示す遠隔管理センター２２０の制御装置２１の演算部２３が、空間に存在する複数の人の情報を、空気清浄装置２４０の制御部２４２と受取部２４１と有線回線５０と受渡部２４とを経由して受け取り、申告情報２２７として記憶装置２２５に記憶させる。制御装置２１の演算部２３が、記憶装置２２５を参照して、申告情報２２７を取得する。制御装置２１の演算部２３が、申告情報２２７に基づいて、疾病情報を推定する。制御装置２１の演算部２３が、推定した疾病情報に基づいて制御信号を生成する。疾病情報が、空間の近くにおける疾病の情報である。空気清浄装置２４０が、制御装置２１から有線回線５０経由で制御信号を受け取る。空気清浄装置２４０が、制御信号に基づいて、複数の人が集まる空間に対して、複数のフィルタ（図１２に示す第１フィルタ２４７及び第２フィルタ２４８）を用いて空気清浄を行う。したがって、空間に存在する複数の人の情報に基づいて疾病情報を推定するので、空間の近くにおける疾病の情報を推定することができる。このため、空間の近くで局所的に発生している疾病の情報を把握することができる。なお、入力装置２１６は、空間に存在する複数の人の情報を、空気清浄装置２４０を経由せずに制御装置２１へ渡してもよい。また、記憶装置は、空気清浄装置２４０に備えられており、定期的に制御装置２１へ情報が有線回線５０経由で渡されるものであってもよい。
【０２８４】
（Ｅ）図１１に示すように、空気清浄システム２００は、症状検知装置２１７をさらに備えてもよい。この場合、症状検知装置２１７が、空間に存在する複数の人の症状を検知する。制御装置２１が、空間に存在する複数の人の症状の情報を、空気清浄装置２４０の制御部２４２と受取部２４１と有線回線５０とを経由して受け取る。制御装置２１が、空間に存在する複数の人の症状に基づいて、疾病情報を推定する。制御装置２１が、疾病情報に基づいて制御信号を生成する。疾病情報は、空間の近くにおける疾病の情報を含む。空気清浄装置２４０が、制御装置２１から有線回線５０経由で制御信号を受け取る。空気清浄装置２４０が、制御信号に基づいて、複数の人が集まる空間に対して、複数のフィルタ（図１２に示す第１フィルタ２４７、第２フィルタ２４８）を用いて空気清浄を行う。したがって、空間に存在する複数の人の症状に基づいて疾病情報を推定するので、空間の近くにおける疾病の情報を推定することができる。このため、空間の近くで局所的に発生している疾病の情報を把握することができる。なお、症状検知装置２１７は、空間に存在する複数の人の情報を、空気清浄装置２４０を経由せずに制御装置２１へ渡してもよい。空間に存在する複数の人の症状は、例えば、空間に存在する複数の人が発する咳の音であってもよいし、空間に存在する複数の人の体温であってもよいし、空間に存在する複数の人の顔色であってもよいし、空間に存在する複数の人の脳波であってもよいし、空間に存在する複数の人の心拍に関する情報であってもよいし、どのような症状であってもよい。
【０２８５】
（Ｆ）図１７に示すように、風路切換部２４９ａは、第３状態（空気清浄能力を強める状態であり破線の状態）と第２状態（通常の状態であり実線の状態）とを切り換えてもよい。この場合、図１１に示す遠隔管理センター２２０の制御装置２１が、疾病情報に基づいて、稼働する空気清浄部（図１７に示す第１空気清浄部２５５、第２空気清浄部２５６）の数量を制御する制御信号を生成する。空気清浄装置２４０ａの風路切換部２４９ａが、ビル２１０の空間に対する空気清浄能力を強める旨の制御信号を受け取った際に、第２状態（通常の状態であり実線の状態）から第３状態（空気清浄能力を強める状態であり破線の状態）の位置へと切り換える。これにより、第３状態（空気清浄能力を強める状態であり破線の状態）において、空気清浄部（図１７に示す第１空気清浄部２５５、第２空気清浄部２５６）の数量が増加する。これらの点で第３実施形態と異なる。
【０２８６】
また、複数の人が集まるビル２１０の空間に対して空気清浄システム２００により空気清浄が行われる処理の流れが、次の点で第３実施形態と異なる。なお、図１８において、第３実施形態と同様の処理は同じ番号で示してある。
【０２８７】
図１８に示すステップＳ２１では、図１７に示す第１フィルタ２４７及び第２フィルタ２４８を用いて空気清浄が行われる。すなわち、ビル２１０の図１７に示す空気清浄装置２４０ａの図１１に示す受取部２４１により、有線回線５０経由で遠隔監視センター２２０から、ビル２１０の空間に対する空気清浄能力を強める旨の制御信号が受け取られる。受取部２４１により、ビル２１０の空間に対する空気清浄能力を強める旨の制御信号が制御部２４２経由で環境提供部２５４ａ（図１７参照）へ渡される。環境提供部２５４ａ（図１７参照）により、ビル２１０の空間に対する空気清浄能力を強める旨の制御信号に基づいて、図１７に示す風路切換部２４９ａが第３状態の方向に切り換えられ、第１フィルタ２４７及び第２フィルタ２４８を用いて空気清浄が行われる。すなわち、２つの空気清浄部（図１７に示す第１空気清浄部２５５、第２空気清浄部２５６）を用いて空気清浄が行われる。
【０２８８】
図１８に示すステップＳ２２では、図１７に示す第２フィルタ２４８を用いて空気清浄が行われる。すなわち、環境提供部２５４ａ（図１７参照）により、図１７に示す風路切換部２４９が第２状態の方向に切り換えられ、第２フィルタ２４８を用いて空気清浄が行われる。すなわち、１つの空気清浄部（図１７に示す第２空気清浄部２５６）を用いて空気清浄が行われる。
【０２８９】
したがって、疾病情報に基づいて稼働する空気清浄部（図１７に示す第１空気清浄部２５５、第２空気清浄部２５６）の数量を制御するので、疾病の流行が発生したときに疾病の感染が進行しないように、空気清浄に用いるフィルタの数を増加させることが可能である。また、疾病の流行が発生していないときに運用コストを低減できるように、空気清浄に用いるフィルタの数を低減させることが可能である。なお、この場合、第１フィルタ２４７と第２フィルタ２４８とは、空気清浄能力が同じであってもよい。また、図１８に示すステップＳ２２において用いられるのは、第２フィルタ２４８の代わりに第１フィルタ２４７であってもよい。
【０２９０】
（Ｇ）図１１に示すように、空気清浄システム２００は、記憶装置２２５をさらに備えてもよい。この場合、記憶装置２２５に稼動スケジュール２２６が記憶されてもよい。この場合、制御装置２１が、稼働スケジュール２２６の情報を記憶装置２２５から受け取る。制御装置２１が、疾病情報と稼働スケジュール２２６とに基づいて制御信号を生成する。空気清浄装置２４０が、制御装置２１から有線回線５０経由で制御信号を受け取る。空気清浄装置２４０が、制御信号に基づいて、複数の人が集まる空間に対して、複数のフィルタ（図１２に示す第１フィルタ２４７、第２フィルタ２４８）を用いて空気清浄を行う。したがって、空気清浄装置２４０の稼働スケジュール２２６を記憶するので、空気清浄装置２４０の空気清浄能力を強くすることを低減する時間帯を設定することが可能である。このため、空気清浄装置２４０の空気清浄能力を強くした際に発生する騒音による弊害を低減することができる。例えば、標準的な勤務時間（例えば、９：００〜１２：００、１３：００〜１７：００）中は、空気清浄装置２４０の空気清浄能力を強くしない時間帯として稼動スケジュール２２６を決めておくことができる。あるいは、会議を行う時間帯のみ、空気清浄装置２４０の空気清浄能力を強くしない時間帯として稼動スケジュール２２６を決めておくことができる。なお、稼動スケジュール２２６はあらかじめ記憶装置２２５に記憶されていてもよい。あるいは、空気清浄システム２００に入力装置２１６がさらに備えられており、入力装置２１６を介して稼動スケジュールが入力されてもよい。
【０２９１】
（Ｈ）図１１に示すように、空気清浄システム２００は、記憶装置２２５をさらに備えてもよい。記憶装置２２５に相関情報２２８が記憶されていてもよい。ここで、相関情報２２８は、図１４に示すように、制御情報と罹患率情報との相関関係についての情報である。制御情報は、空間に対する空気清浄能力の情報である。罹患率情報は、疾病の罹患率の情報である。また、ビル２１０は、記憶装置２１８をさらに備えてもよい。記憶装置２１８に制御データベース２１９が記憶されていてもよい。
【０２９２】
図１４に示すように、相関情報２２８には、疾病の罹患率と空気清浄能力との関係が記憶されている。例えば、図１４に示す場合、疾病の罹患率と空気清浄能力との関係は、疾病の流行の度合いが高いとき（例えば、疾病の患者数が全国で１万人以上のとき）についてグラフ５４で示され、疾病の流行の度合いが中位とき（例えば、疾病の患者数が全国で５千人〜１万人のとき）についてグラフ５５で示され、疾病の流行の度合いが低いとき（例えば、疾病の患者数が全国で５千人未満のとき）についてグラフ５６で示される。疾病の罹患率に関する目標値である罹患目標値がＲｄで示されている。図１４では、疾病の罹患率がＲｕ〜Ｒｂの範囲の値になったときに疾病の罹患率が罹患目標値Ｒｄ付近の値になったと判断される。疾病の流行の度合いが高いとき、図１４のグラフ５４を参照することにより、疾病の罹患率が罹患目標値Ｒｄ付近の値になるようにするには、空気清浄能力をＣｄ１付近の値になるようにすればよいことが分かる。すなわち、空気清浄能力がＣｕ１〜Ｃｂ１の範囲の値になるようにすれば、疾病の罹患率が罹患目標値Ｒｄ付近の値になることが分かる。疾病の流行の度合いが低いとき、図１４のグラフ５６を参照することにより、疾病の罹患率が罹患目標値Ｒｄ付近の値になるようにするには、空気清浄能力をＣｄ３付近の値になるようにすればよいことが分かる。すなわち、空気清浄能力がＣｕ３〜Ｃｂ３の範囲の値になるようにすれば、疾病の罹患率が罹患目標値Ｒｄ付近の値になることが分かる。
【０２９３】
一方、図１５に示すように、制御データベース２１９には、空気清浄能力と空気清浄装置２４０において用いられるフィルタとの関係が記憶されている。制御データベース２１９は、主として空気清浄能力欄１９１とフィルタ欄１９２とを備える。空気清浄能力欄１９１には、空気清浄能力の所定の値の範囲が記憶されている。フィルタ欄１９２には、空気清浄装置２４０において用いられるフィルタを識別するための情報が記憶されている。制御データベース２１９を参照することにより、空気清浄能力が所定の範囲の値になるようにするために用いるべきフィルタを特定することができる。例えば、空気清浄能力がＣｕ１〜Ｃｂ１の範囲の値になるようにするために、フィルタ２４７（図１２参照）を用いるべきであると特定される。例えば、空気清浄能力がＣｕ３〜Ｃｂ３の範囲の値になるようにするために、フィルタ２４８（図１２参照）を用いるべきであると特定される。これにより、空気清浄能力が強くて運用コストが高いフィルタ２４７（図１２参照）が過剰に用いられることが低減される。
【０２９４】
この場合、疾病情報が、流行度情報を含む。ここで、流行度情報は、疾病の流行の度合いを示す情報である。図１１に示す遠隔監視センター２２０の制御装置２１が、流行度情報を取得する。制御装置２１が、記憶装置２２５を参照し、相関情報２２８を取得する。制御装置２１が、疾病が流行したときの疾病の罹患率が罹患目標値Ｒｄ付近の値になるように、流行度情報と相関情報２２８とに基づいて制御信号を生成する。例えば、疾病の流行の度合いが高いことを流行度情報が示している場合、図１４に示すグラフ５４が参照されて空気清浄能力がＣｕ１〜Ｃｂ１の範囲の値になるべきであると判断され、Ｃｕ１〜Ｃｂ１の範囲の値に空気清浄能力を増やす旨の制御信号が生成される。例えば、疾病の流行の度合いが低いことを流行度情報が示している場合、図１４に示すグラフ５６が参照されて空気清浄能力がＣｕ３〜Ｃｂ３の範囲の値になるべきであると判断され、Ｃｕ３〜Ｃｂ３の範囲の値に空気清浄能力を増やす旨の制御信号が生成される。疾病が流行していると判断された場合、図１１に示すビル１０の空気清浄装置２４０が、制御装置２１から、ビル１０の空間に対する空気清浄能力を増やす旨の制御信号を有線回線５０経由で受け取る。ビル１０の空気清浄装置２４０が、ビル１０の空間に対する空気清浄能力を増やす旨の制御信号に基づいて、ビル１０の空間に対して空気清浄行う。例えば、Ｃｕ１〜Ｃｂ１の範囲の値（図１４参照）に空気清浄能力を増やす旨の制御信号に基づいて、図１５に示す制御データベース２１９が参照されて図１２に示すフィルタ２４７を用いるべきであると判断され、フィルタ２４７を用いて空気清浄を行うように図１１に示す環境提供部２５４が制御される。例えば、Ｃｕ３〜Ｃｂ３の範囲の値（図１４参照）に空気清浄能力を増やす旨の制御信号に基づいて、図１５に示す制御データベース２１９が参照されて図１２に示すフィルタ２４８を用いるべきであると判断され、フィルタ２４８を用いて空気清浄を行うように図１１に示す環境提供部２５４が制御される。
【０２９５】
したがって、疾病が流行したときの疾病の罹患率が罹患目標値Ｒｄ付近の値になるように制御信号を生成するので、疾病の流行が発生したときに、疾病の感染が進行しないように、空気清浄能力の適度に強いフィルタを用いて空気清浄を行うことができる。この結果、過剰に空気清浄能力を強化することが低減されるので、無駄な運用コストの増加を抑えることができるため、運用コストの低減化を図りながら疾病の感染を低減することができる。
【０２９６】
なお、制御装置２１は、疾病が流行したときの疾病の罹患率が罹患目標値Ｒｄ付近の値になるように、相関情報２２８のみに基づいて（流行度情報は考慮せずに）、ビル１０の空間に対する換気量を増加する旨の制御信号を生成してもよい。このとき、図１１に示す相関情報２２８には、疾病の流行の度合いが中位とき（例えば、疾病の患者数が全国で５千人〜１万人のとき）の相関関係のみが記憶されていてもよい。すなわち、図１４に示すグラフ５５のみが相関情報２２８に記憶されていてもよい。この場合でも、疾病が流行したときの疾病の罹患率が罹患目標値Ｒｄ付近の値になるように制御信号を生成するので、疾病の流行が発生したときに疾病の感染が進行しないようにしながら無駄な消費エネルギーの増加を抑えるように、ビル１０の空間に対して換気を行うことができる。
【０２９７】
図１５に示す制御データベース２１９は、ビル２１０ではなく遠隔監視センター２２０の記憶装置２２５に記憶されていてもよい。この場合、制御装置２１から空気清浄装置２４０へは、空気清浄能力の制御信号として、用いられるべきフィルタの情報が有線回線５０経由で送信されることになる。
【０２９８】
図１４に示す相関情報２２８には、疾病の流行の度合いが中位とき（例えば、疾病の患者数が全国で５千人〜１万人のとき）の相関関係のみが記憶されていてもよい。すなわち、図１４に示すグラフ５５のみが相関情報２２８に記憶されていてもよい。この場合でも、疾病が流行したときの疾病の罹患率が罹患目標値Ｒｄ付近の値になるように制御信号を生成するので、疾病の流行が発生したときに疾病の感染が進行しないようにしながら無駄な消費エネルギーの増加を抑えるように、ビル１０の空間に対して換気を行うことができる。
【０２９９】
また、罹患率情報は、疾病の罹患率、疾病の罹患による生産性の低下率、疾病の罹患により発生する損害額（生産性の低下による逸失利益）、疾病の罹患により発生する医療費の増加率及び疾病の罹患により発生する医療費の増加額の少なくとも１つに関する情報を含んでいてもよい。この場合、罹患率情報を詳細な情報とすることができるので、相関情報に基づいて環境提供装置を詳細に制御することができる。また、流行度情報は、全国における疾病の患者数であってもよいし、全国の人口に対する疾病の感染率であってもよいし、全国における疾病の患者数に疾病の死亡率を掛け合わせたものであってもよいし、疾病の流行の度合いを示す情報であればどのような情報であってもよい。
【０３００】
さらに、罹患目標値Ｒｄは、遠隔監視センター２０においてあらかじめ設定されたものであってもよいし、疾病の罹患率（又は生産性の低下率など）と消費エネルギー量とのトレードオフにより演算部２３であらかじめ決められたものであってもよい。例えば、疾病の罹患率（又は生産性の低下率など）と消費エネルギー量とを掛け合わせた値が最小になるときの疾病の罹患率（又は生産性の低下率など）が罹患目標値Ｒｄとされてもよい。
【０３０１】
（Ｉ）第３実施形態の変形例（Ｈ）において、図１１に示す制御装置２１は、稼働する空気清浄部（図１７に示す第１空気清浄部２５５、第２空気清浄部２５６）の数量を制御する制御信号を生成してもよい。このとき、図１５に示すフィルタ欄１９２には、例えば、空気清浄能力が０〜Ｃｕ１のとき「フィルタ２４８」と記憶され、空気清浄能力がＣｕ１〜∞のとき「フィルタ２４７，２４８」と記憶されていてもよい。この場合でも、疾病が流行したときの疾病の罹患率が罹患目標値Ｒｄ付近の値になるように制御信号を生成するので、疾病の流行が発生したときに、疾病の感染が進行しないように、空気清浄に用いるフィルタの数を適度に増加させることができる。この結果、過剰に空気清浄能力を強化することが低減されるので、無駄な運用コストの増加を抑えることができるため、運用コストの低減化を図りながら疾病の感染を低減することができる。
【０３０２】
（Ｊ）図１１に示すように、空気清浄システム２００は、存在検知装置２１５をさらに備えてもよい。この場合、存在検知装置２１５が、人の存在を検知する。制御装置２１が、人の存在の情報を、空気清浄装置２４０の制御部２４２と受取部２４１と有線回線５０とを介して受け取る。制御装置２１が、疾病情報と人の存在の情報とに基づいて制御信号を生成する。空気清浄装置２４０が、制御装置２１から有線回線５０を経由して制御信号を受け取る。空気清浄装置２４０が、制御信号に基づいて、複数の人が集まる空間に対して、複数のフィルタ（図１２に示す第１フィルタ２４７、第２フィルタ２４８）を用いて空気清浄を行う。したがって、人の存在を検知するので、人が不在の場合に空気清浄装置２４０の空気清浄能力を無駄に強くすることを低減することができる。このため、省エネルギー化を図ることができる。なお、存在検知装置２１５は、空間に存在する複数の人の情報を、空気清浄装置２４０を経由せずに制御装置２１へ渡してもよい。
【０３０３】
［第４実施形態］
本発明の第４実施形態に係る空気清浄システム３００を図１９に示す。また、空気清浄システム３００の各構成要素の構成図を図２０に示す。図１９，図２０において、図１０，図１１の空気清浄システム２００の構成要素と同様の構成要素は同じ番号で示してある。ここに示す空気清浄システム３００は、主として複数の人が集まるビル３１０の空間に対して空気清浄を行うためのシステムである。
【０３０４】
この空気清浄システム３００は、図１９，図２０に示すように、基本的な構造は第３実施形態と同様であり各構成要素は図１１と同様であるが、図２０に示すように、空気清浄装置３４０が複数の空気清浄機（第１空気清浄機３４０ａ及び第２空気清浄機３４０ｂ）を有する点で第３実施形態と異なる。すなわち、空気清浄装置３４０の第１空気清浄機３４０ａは、第１フィルタ２４７ａ（図２１参照）を含む環境提供部３５４ａを有する。空気清浄装置３４０の第２空気清浄機３４０ｂは、第２フィルタ２４７ｂ（図示せず）を含む環境提供部３５４ｂを有する。空気清浄装置３４０の第１空気清浄機３４０ａが、制御装置２１から有線回線５０経由で制御信号を受け取る。空気清浄装置３４０の第２空気清浄機３４０ｂが、制御装置２１から有線回線５０経由で制御信号を受け取る。空気清浄装置３４０の第１空気清浄機３４０ａが、制御信号に基づいて、複数の人が集まるビル３１０の空間に対して空気清浄を行う。空気清浄装置３４０の第２空気清浄機３４０ｂが、制御信号に基づいて、複数の人が集まる空間に対して空気清浄を行う。第１空気清浄機３４０ａの有する第１フィルタ２４７ａ（図２１参照）の空気清浄能力が、第２空気清浄機３４０ｂの有する第２フィルタ２４７ｂ（図示せず）の空気清浄能力よりも強い。したがって、疾病情報に基づいて第１空気清浄機３４０ａと第２空気清浄機３４０ｂとを切り換えるので、疾病の流行が発生したときに疾病の感染が進行しないように、第１フィルタ２４７ａ（図２１参照）を用いて空気清浄を行うことが可能である。また、疾病の流行が発生していないときに運用コストを低減できるように、第２フィルタ２４７ｂ（図示せず）を用いて空気清浄を行うことが可能である。また、第１空気清浄機３４０ａは、図２１に示すように、風路切換部２４９（図１２参照）を有さず、吸入路３４４ａと第１通風路とが共通である。第２空気清浄機３４０ｂも同様である。これらの点で第３実施形態と異なる。
【０３０５】
なお、受取部２４１ａ，２４１ｂは、受取部２４１（図１１参照）と同様である。制御部２４２ａ，２４２ｂは、制御部２４２（図１１参照）と同様である。吸い込み口２４３ａ、第１吹き出し口２５１ａ及びファン２５３ａ（図２１参照）は、吸い込み口２４３，第１吹き出し口２５１及びファン２５３（図１２参照）と同様である。
【０３０６】
疾病情報に基づいて図２０に示す空気清浄装置３４０を制御するので、疾病の流行が発生したときに疾病の感染が進行しないように、空気清浄能力の強いフィルタ（図２１に示す第１フィルタ２４７ａ）を用いて空気清浄を行うことが可能である点は、第３実施形態と同様である。また、疾病の流行が発生していないときに運用コストを低減できるように、空気清浄能力の弱いフィルタ（図示しない第２フィルタ２４７ｂ）を用いて空気清浄を行うことが可能である点も、第３実施形態と同様である。したがって、このような空気清浄システム３００によっても、運用コストの低減化を図りながら疾病の感染を低減することが可能である。
【０３０７】
＜第４実施形態の変形例＞
（Ａ）第１空気清浄機３４０ａは、複数存在してもよい。第２空気清浄機３４０ｂは、複数存在してもよい。
【０３０８】
（Ｂ）図２０に示す制御装置２１は、疾病情報に基づいて、稼働する空気清浄機３４０ａ，３４０ｂの台数を制御する制御信号を生成してもよい。この場合、空気清浄装置３４０の複数の空気清浄機（第１空気清浄機３４０ａ及び第２空気清浄機３４０ｂ）が、制御装置２１から制御信号を受け取る。空気清浄装置３４０のそれぞれの空気清浄機３４０ａ，３４０ｂが、制御信号に基づいて、複数の人が集まる空間に対して、空気清浄を行う。したがって、疾病情報に基づいて稼働する空気清浄機３４０ａ，３４０ｂの台数を制御することができるので、疾病の流行が発生したときに疾病の感染が進行しないように、空気清浄に用いるフィルタ２４７ａ（図２１参照）の数を増加させることができる。また、疾病の流行が発生していないときに運用コストを低減できるように、空気清浄に用いるフィルタ２４７ａ（図２１参照）の数を低減させることができる。なお、それぞれの空気清浄機３４０ａ，３４０ｂは、１つのフィルタ２４７ａ（図２１参照）を有していてもよいし、複数のフィルタ２４７ａ，・・・（図２１参照）を有していてもよい。
【０３０９】
（Ｃ）図２０に示すように、空気清浄システム３００は、記憶装置２２５をさらに備えてもよい。記憶装置２２５に相関情報２２８が記憶されていてもよい。ここで、相関情報２２８は、図１４に示すように、制御情報と罹患率情報との相関関係についての情報である。制御情報は、空間に対する空気清浄能力の情報である。罹患率情報は、疾病の罹患率の情報である。また、ビル３１０は、記憶装置３１８をさらに備えてもよい。記憶装置３１８に制御データベース３１９が記憶されていてもよい。
【０３１０】
図１４に示すように、相関情報２２８には、疾病の罹患率と空気清浄能力との関係が記憶されている。例えば、図１４に示す場合、疾病の罹患率と空気清浄能力との関係は、疾病の流行の度合いが高いとき（例えば、疾病の患者数が全国で１万人以上のとき）についてグラフ５４で示され、疾病の流行の度合いが中位とき（例えば、疾病の患者数が全国で５千人〜１万人のとき）についてグラフ５５で示され、疾病の流行の度合いが低いとき（例えば、疾病の患者数が全国で５千人未満のとき）についてグラフ５６で示される。疾病の罹患率に関する目標値である罹患目標値がＲｄで示されている。図１４では、疾病の罹患率がＲｕ〜Ｒｂの範囲の値になったときに疾病の罹患率が罹患目標値Ｒｄ付近の値になったと判断される。疾病の流行の度合いが高いとき、図１４のグラフ５４を参照することにより、疾病の罹患率が罹患目標値Ｒｄ付近の値になるようにするには、空気清浄能力をＣｄ１付近の値になるようにすればよいことが分かる。すなわち、空気清浄能力がＣｕ１〜Ｃｂ１の範囲の値になるようにすれば、疾病の罹患率が罹患目標値Ｒｄ付近の値になることが分かる。疾病の流行の度合いが低いとき、図１４のグラフ５６を参照することにより、疾病の罹患率が罹患目標値Ｒｄ付近の値になるようにするには、空気清浄能力をＣｄ３付近の値になるようにすればよいことが分かる。すなわち、空気清浄能力がＣｕ３〜Ｃｂ３の範囲の値になるようにすれば、疾病の罹患率が罹患目標値Ｒｄ付近の値になることが分かる。
【０３１１】
一方、図２２に示すように、制御データベース３１９には、空気清浄能力と用いられるべき空気清浄機３４０ａ，３４０ｂ，・・・との関係が記憶されている。図２２に示す制御データベース３１９は、主として空気清浄能力欄１９３と空気清浄機欄１９４とを備える。空気清浄能力欄１９３には、空気清浄能力の所定の値の範囲が記憶されている。空気清浄機欄１９４には、用いられるべき空気清浄機３４０ａ，３４０ｂ，・・・を識別するための情報が記憶されている。図２２に示す制御データベース３１９を参照することにより、空気清浄能力が所定の範囲の値になるようにするために用いられるべき空気清浄機３４０ａ，３４０ｂ，・・・を特定することができる。例えば、空気清浄能力がＣｕ１〜Ｃｂ１の範囲の値になるようにするために、空気清浄機３４０ａ（図２０参照）が用いられるべきであると特定される。例えば、空気清浄能力がＣｕ３〜Ｃｂ３の範囲の値になるようにするために、空気清浄機３４０ｂ（図２０参照）が用いられるべきであると特定される。これにより、空気清浄能力が強くて運用コストが高いフィルタ２４７ａ（図２１参照）が過剰に用いられることが低減される。
【０３１２】
この場合、疾病情報が、流行度情報を含む。ここで、流行度情報は、疾病の流行の度合いを示す情報である。図２０に示す遠隔監視センター２２０の制御装置２１が、流行度情報を取得する。制御装置２１が、記憶装置２２５を参照し、相関情報２２８を取得する。制御装置２１が、疾病が流行したときの疾病の罹患率が罹患目標値Ｒｄ付近の値になるように、流行度情報と相関情報２２８とに基づいて制御信号を生成する。例えば、疾病の流行の度合いが高いことを流行度情報が示している場合、図１４に示すグラフ５４が参照されて空気清浄能力がＣｕ１〜Ｃｂ１の範囲の値になるべきであると判断され、Ｃｕ１〜Ｃｂ１の範囲の値に空気清浄能力を増やす旨の制御信号が生成される。例えば、疾病の流行の度合いが低いことを流行度情報が示している場合、図１４に示すグラフ５６が参照されて空気清浄能力がＣｕ３〜Ｃｂ３の範囲の値になるべきであると判断され、Ｃｕ３〜Ｃｂ３の範囲の値に空気清浄能力を増やす旨の制御信号が生成される。疾病が流行していると判断された場合、図２０に示すビル１０の空気清浄機３４０ａ，３４０ｂ，・・・が、制御装置２１から、ビル１０の空間に対する空気清浄能力を増やす旨の制御信号を有線回線５０経由で受け取る。ビル１０の空気清浄機３４０ａ，３４０ｂ，・・・が、ビル１０の空間に対する空気清浄能力を増やす旨の制御信号に基づいて、ビル１０の空間に対して空気清浄を行う。例えば、Ｃｕ１〜Ｃｂ１の範囲の値（図１４参照）に空気清浄能力を増やす旨の制御信号に基づいて、図２２に示す制御データベース３１９が参照されて図２０に示す空気清浄機３４０ａが用いられるべきであると判断され、フィルタ２４７ａ（図２１参照）が用いられて空気清浄が行われるように環境提供部３５４ａが制御される。例えば、Ｃｕ３〜Ｃｂ３の範囲の値（図１４参照）に空気清浄能力を増やす旨の制御信号に基づいて、図２２に示す制御データベース３１９が参照されて図２０に示す空気清浄機３４０ｂが用いられるべきであると判断され、フィルタ２４７ｂ（図示せず）が用いられて空気清浄が行われるように環境提供部３５４ｂが制御される。
【０３１３】
したがって、疾病が流行したときの疾病の罹患率が罹患目標値Ｒｄ付近の値になるように制御信号を生成するので、疾病の流行が発生したときに、疾病の感染が進行しないように、空気清浄能力の適度に強いフィルタを用いて空気清浄を行うことができる。この結果、過剰に空気清浄能力を強化することが低減されるので、無駄な運用コストの増加を抑えることができるため、運用コストの低減化を図りながら疾病の感染を低減することができる。
【０３１４】
なお、制御装置２１は、疾病が流行したときの疾病の罹患率が罹患目標値Ｒｄ付近の値になるように、相関情報２２８のみに基づいて（流行度情報は考慮せずに）、ビル１０の空間に対する換気量を増加する旨の制御信号を生成してもよい。このとき、図２０に示す相関情報２２８には、疾病の流行の度合いが中位とき（例えば、疾病の患者数が全国で５千人〜１万人のとき）の相関関係のみが記憶されていてもよい。すなわち、図１４に示すグラフ５５のみが相関情報２２８に記憶されていてもよい。この場合でも、疾病が流行したときの疾病の罹患率が罹患目標値Ｒｄ付近の値になるように制御信号を生成するので、疾病の流行が発生したときに疾病の感染が進行しないようにしながら無駄な消費エネルギーの増加を抑えるように、ビル１０の空間に対して換気を行うことができる。
【０３１５】
図２２に示す制御データベース３１９は、ビル３１０ではなく遠隔監視センター２２０の記憶装置２２５に記憶されていてもよい。この場合、制御装置２１から空気清浄機３４０ａ，３４０ｂ，・・・へは、空気清浄能力の制御信号として、用いられるべき空気清浄機３４０ａ，３４０ｂ，・・・の情報が有線回線５０経由で送信されることになる。
【０３１６】
図１４に示す相関情報２２８には、疾病の流行の度合いが中位とき（例えば、疾病の患者数が全国で５千人〜１万人のとき）の相関関係のみが記憶されていてもよい。すなわち、図１４に示すグラフ５５のみが相関情報２２８に記憶されていてもよい。この場合でも、疾病が流行したときの疾病の罹患率が罹患目標値Ｒｄ付近の値になるように制御信号を生成するので、疾病の流行が発生したときに疾病の感染が進行しないようにしながら無駄な消費エネルギーの増加を抑えるように、ビル１０の空間に対して換気を行うことができる。
【０３１７】
また、罹患率情報は、疾病の罹患率、疾病の罹患による生産性の低下率、疾病の罹患により発生する損害額（生産性の低下による逸失利益）、疾病の罹患により発生する医療費の増加率及び疾病の罹患により発生する医療費の増加額の少なくとも１つに関する情報を含んでいてもよい。この場合、罹患率情報を詳細な情報とすることができるので、相関情報に基づいて環境提供装置を詳細に制御することができる。また、流行度情報は、全国における疾病の患者数であってもよいし、全国の人口に対する疾病の感染率であってもよいし、全国における疾病の患者数に疾病の死亡率を掛け合わせたものであってもよいし、疾病の流行の度合いを示す情報であればどのような情報であってもよい。
【０３１８】
さらに、罹患目標値Ｒｄは、遠隔監視センター２０においてあらかじめ設定されたものであってもよいし、疾病の罹患率（又は生産性の低下率など）と消費エネルギー量とのトレードオフにより演算部２３であらかじめ決められたものであってもよい。例えば、疾病の罹患率（又は生産性の低下率など）と消費エネルギー量とを掛け合わせた値が最小になるときの疾病の罹患率（又は生産性の低下率など）が罹患目標値Ｒｄとされてもよい。
【０３１９】
（Ｄ）第４実施形態の変形例（Ｃ）において、図２０に示す制御装置２１は、稼働する空気清浄機（図２０示す空気清浄機３４０ａ、空気清浄機３４０ｂ）の数量を制御する制御信号を生成してもよい。このとき、図２２に示す空気清浄機欄１９４には、例えば、空気清浄能力が０〜Ｃｕ１のとき「空気清浄機３４０ｂ」と記憶され、空気清浄能力がＣｕ１〜∞のとき「空気清浄機３４０ａ，３４０ｂ」と記憶されていてもよい。この場合でも、疾病が流行したときの疾病の罹患率が罹患目標値Ｒｄ付近の値になるように制御信号を生成するので、疾病の流行が発生したときに、疾病の感染が進行しないように、空気清浄に用いるフィルタの数を適度に増加させることができる。この結果、過剰に空気清浄能力を強化することが低減されるので、無駄な運用コストの増加を抑えることができるため、運用コストの低減化を図りながら疾病の感染を低減することができる。
【０３２０】
［第５実施形態］
本発明の第５実施形態に係る空気清浄システム４００を図２３に示す。また、空気清浄システム４００の各構成要素の構成図を図２４に示す。図２３，図２４において、図１０，図１１の空調制御システム２００の構成要素と同様の構成要素は同じ番号で示してある。ここに示す空気清浄システム４００は、主として複数の人が集まるビル４１０の空間に対して空気清浄を行うためのシステムである。
【０３２１】
この空気清浄システム４００は、図２３，図２４に示すように、基本的な構造は第３実施形態と同様であり各構成要素は図１１と同様であるが、遠隔監視センター２２０と有線回線５０とが備えられていない点で構成が異なる。すなわち、図２４に示すように、ビル４１０の空気清浄装置４４０は、制御装置４２１をさらに備える。ビル４１０の空間に対する空気清浄能力を強める旨の制御信号は、空気清浄装置４４０の内部配線を経由して、制御装置４２１の受渡部４２４から空気清浄装置４４０の受取部４４１へ渡される点で、第３実施形態と異なる。
【０３２２】
疾病情報に基づいて図２４に示す空気清浄装置４４０を制御するので、疾病の流行が発生したときに疾病の感染が進行しないように、空気清浄能力の強いフィルタ（図１２に示す第１フィルタ２４７）を用いて空気清浄を行うことが可能である点は、第３実施形態と同様である。また、疾病の流行が発生していないときに運用コストを低減できるように、空気清浄能力の弱いフィルタ（図１２に示す第２フィルタ２４８）を用いて空気清浄を行うことが可能である点も、第３実施形態と同様である。したがって、このような空気清浄システム４００によっても、運用コストの低減化を図りながら疾病の感染を低減することが可能である。
【０３２３】
＜第５実施形態の変形例＞
（Ａ）制御装置４２１は、空気清浄装置４４０と別に構成されていてもよい。この場合、制御装置４２１の受渡部４２４と空気清浄装置４４０の受取部４４１とは、ビル４１０におけるＬＡＮ回線で接続されることになる。空気清浄装置４４０は、記憶装置２２５をさらに備えていてもよい。
【産業上の利用可能性】
【０３２４】
本発明にかかる環境提供システム、環境提供装置、制御装置及び環境提供方法は、省エネルギー化を図りながら疾病の感染を低減することができるという効果を有し、環境提供システム、環境提供装置、制御装置及び環境提供方法等として有用である。
【０３２５】
また、本発明にかかる環境提供システム、環境提供装置、制御装置及び環境提供方法は、運用コストの低減化を図りながら疾病の感染を低減することができるという効果を有し、環境提供システム、環境提供装置、制御装置及び環境提供方法等として有用である。
【図面の簡単な説明】
【０３２６】
【図１】本発明の第１実施形態による環境提供システムの概念図。
【図２】本発明の第１実施形態による環境提供システムの構成図。
【図３】複数の人が集まるビルの空間に対して環境提供システムにより換気が行われる処理の流れを示すフローチャート。
【図４】本発明の第１実施形態による疾病情報データの概念図。
【図５】本発明の第１実施形態による疾病情報データの概念図。
【図６】本発明の第１実施形態による環境提供システムの構成図。
【図７】相関情報の構成を示す概念図。
【図８】本発明の第２実施形態による環境提供システムの概念図。
【図９】本発明の第２実施形態による環境提供システムの構成図。
【図１０】本発明の第３実施形態による空気清浄システムの概念図。
【図１１】本発明の第３実施形態による空気清浄システムの構成図。
【図１２】本発明の第３実施形態による環境提供部の構成図。
【図１３】複数の人が集まるビルの空間に対して空気清浄システムにより空気清浄が行われる処理の流れを示すフローチャート。
【図１４】相関情報の構成を示す概念図。
【図１５】制御データベースの構成を示す概念図。
【図１６】入力装置に入力される情報を示す概念図。
【図１７】本発明の第３実施形態による環境提供部の構成図。
【図１８】複数の人が集まるビルの空間に対して空気清浄システムにより空気清浄が行われる処理の流れを示すフローチャート。
【図１９】本発明の第４実施形態による空気清浄システムの概念図。
【図２０】本発明の第４実施形態による空気清浄システムの構成図。
【図２１】本発明の第４実施形態による環境提供部の構成図。
【図２２】制御データベースの構成を示す概念図。
【図２３】本発明の第５実施形態による空気清浄システムの概念図。
【図２４】本発明の第５実施形態による空気清浄システムの構成図。
【符号の説明】
【０３２７】
１，１００  環境提供システム
２００，３００，４００  空気清浄システム
１０，１１０，２１０，３１０，４１０  ビル
１１，１１１  空調装置
２１５  存在検知装置
２１６  入力装置
２１７  症状検知装置
２０，２２０  遠隔監視センター
２１  制御装置
２２５  記憶装置
３０  公的情報機関
３１  疾病情報データ
２４０，３４０，４４０  空気清浄装置
５０  有線回線
６０  インターネット回線
【図１】
0004604603.tif 000002
【図２】
0004604603.tif 000003
【図３】
0004604603.tif 000004
【図４】
0004604603.tif 000005
【図５】
0004604603.tif 000006
【図６】
0004604603.tif 000007
【図７】
0004604603.tif 000008
【図８】
0004604603.tif 000009
【図９】
0004604603.tif 000010
【図１０】
0004604603.tif 000011
【図１１】
0004604603.tif 000012
【図１２】
0004604603.tif 000013
【図１３】
0004604603.tif 000014
【図１４】
0004604603.tif 000015
【図１５】
0004604603.tif 000016
【図１６】
0004604603.tif 000017
【図１７】
0004604603.tif 000018
【図１８】
0004604603.tif 000019
【図１９】
0004604603.tif 000020
【図２０】
0004604603.tif 000021
【図２１】
0004604603.tif 000022
【図２２】
0004604603.tif 000023
【図２３】
0004604603.tif 000024
【図２４】
0004604603.tif 000025